(57)【特許請求の範囲】
【請求項１】
下記（１）〜（９）を備え、
少なくとも１つの中間空間部において、押圧側空間部と中間空間部とを導通可能にするためのバイパス部（ａ）が形成され、
吐出側空間部において、中間空間部と吐出側空間部とを導通可能にするためのバイパス部（ｂ）が形成されてなり、当該バイパス部の長軸方向における長さが、当該バイパス部が形成されている空間部の長軸方向における長さよりも短く、前記バイパス部の押圧側に位置するガスケット部の長軸方向における厚さよりも長くされてなるプレフィルドシリンジであって、
プランジャー部の押圧操作により、
前記バイパス部（ａ）より押圧側に位置する中間ガスケット部が吐出側に移動して、当該中間ガスケット部の押圧側の面が、当該バイパス部（ａ）の押圧側端部を通過したときに、当該バイパス部（ａ）を介して押圧側空間部と中間空間部とが導通状態となり、
吐出側ガスケット部が吐出側に移動して当該吐出側ガスケット部の押圧側の面が前記バイパス部（ｂ）の押圧側端部を通過したときに、当該バイパス部（ｂ）を介して中間空間部と吐出側空間部とが導通状態となり、
さらに、吐出側空間部に流入した内容物が、吐出部に留め金により締結された吐出口を介して、筒体外部へ吐出されることが可能なように形成されていることを特徴とする歯科用または外科用プレフィルドシリンジ。
（１）  最吐出側に位置する最吐出側壁面と内容物を吐出するための吐出口とを有する吐出部を備えた筒体
（２）  筒体内に挿嵌されたプランジャー部
（３）  筒体内で、プランジャー部よりも吐出側に位置する押圧側ガスケット部
（４）  筒体内で、押圧側ガスケット部と吐出部との間に位置する吐出側ガスケット部
（５）  筒体内で、押圧側ガスケット部と吐出側ガスケット部との間に位置する少なくとも１つの中間ガスケット部
（６）  筒体内で、押圧側ガスケット部と中間ガスケット部とで画定される押圧側空間部
（７）  筒体内で、吐出側ガスケット部と吐出部とで画定される吐出側空間部
（８）  筒体内で、中間ガスケット部と吐出側ガスケット部で画定される中間空間部
（９）  押圧側空間部および／または中間空間部に含まれる内容物
【請求項２】
複数の中間空間部を有し、当該複数の中間空間部のうち、少なくとも１つの空間部に、吐出側の中間空間部と押圧側の中間空間部とを導通可能にするためのバイパス部（ａ´）が形成され、
プランジャー部の押圧操作により、
吐出側の中間空間部の押圧側に位置する中間ガスケット部が、吐出側に移動し、当該中間ガスケット部の押圧側の面が、前記中間空間部のバイパス部（ａ´）の押圧側端部を通過したときに、当該バイパス部（ａ´）を介して、吐出側の中間空間部と押圧側の中間空間部とを導通状態となるように形成されていることを特徴とする請求項１に記載の歯科用または外科用プレフィルドシリンジ。
【請求項３】
前記バイパス部の長軸方向における長さが、当該バイパス部が形成されている空間部の長軸方向における長さがよりも短く、前記バイパス部の押圧側に位置するガスケット部の長軸方向における厚さよりも長いことを特徴とする請求項１または２に記載の歯科用または外科用プレフィルドシリンジ。
【請求項４】
前記バイパス部の形状が、溝形状であることを特徴とする請求項１〜３の何れか一項に記載の歯科用または外科用プレフィルドシリンジ。
【請求項５】
１つの中間空間部を有し、当該中間空間部に、内容物として低活性物質または不活性物質が含まれ、かつ押圧側空間および吐出側空間部に、内容物として活性物質が含まれるか、
複数の中間空間部を有し、当該複数の中間空間部のうち、少なくとも１つの空間部に、内容物として低活性物質または不活性物質が含まれ、かつ当該低活性物質または不活性物質を含む中間空間部の両側に位置する中間空間部または押圧側空間部に、内容物として活性物質が含まれることを特徴とする請求項１〜４の何れか一項に記載の歯科用または外科用プレフィルドシリンジ。
【発明の詳細な説明】
【技術分野】
【０００１】
本発明は、複数の内容物を個別に収容できるプレフィルドシリンジに関する。
より詳しくは、本発明は、分離、混合、吐出のために複雑な機構を必要とすることなく、（１）保存時には、安全且つ確実に各内容物を個別に収納・保存でき、（２）使用時には、シリンジ外部に内容物を取り出すくとなく、シリンジ内で各内容物を十分に混合でき、さらに、内容物を良好な信頼性とともに簡便かつ円滑に吐出できるプレフィルドシリンジに関する。
【背景技術】
【０００２】
一般に、複数種類の成分を混合して使用される組成物として、歯科用材料、外科用接着材などの医療用接着剤、その他の用途の接着剤、シーリング剤、毛染剤等の粘性材料が知られている。このような粘性材料は、複数の成分を混合することで、化学反応（硬化反応等）が開始されてから、各種用途に使用されている。そのため、場合によっては、使用直前に、練和板や混合用容器と、棒、へら等の混合具とを用いて混合する作業が必要である。
【０００３】
近年、各種メーカーによって、複数の成分を別個に保存するための分離チャンバーとこれらの成分を混合するための攪拌ユニットを有する混合カプセルが製品化されている。かかる混合カプセルは、保存時には、別個に複数の成分を各分離チャンバーに保存できる。また、ユーザーは、使用する際に、例えば、各成分を分離している分離チャンバー間の隔壁を破壊し、分離チャンバー間を導通状態にさせることで、各成分が混合されて、目的の混合物を調製できる。
【０００４】
特に、歯科分野においては、このような混合カプセルが汎用され、保存時には、粉体成分と液体成分とがそれぞれ分離チャンバーに別個に保存され、使用時には、これらの成分が通常、攪拌ユニットにて混合され、歯科材料が調製される。さらに、例えばかかる混合カプセルに一体的に形成された吐出口を介して、完全に混合された歯科材料が、齲蝕箇所等の作業領域へ直接分注される。
【０００５】
例えば、特許文献１では、特に歯科材料を調製するための混合カプセルが開示されている。この混合カプセルは、カートリッジと、分注口と、該カートリッジ内に可動式に配置されたピストンと、第１の成分を受入れるための封止されたメインチャンバと、ピストン内に画定され第２の成分を受入れるための補助チャンバと、少なくとも１つの可動体と、補助チャンバをメインチャンバから区画しかつ可動体により貫通され得る分離体とを含む。
【０００６】
また、上記可動体は、分離体が閉鎖されている場合は、メインチャンバ内に配置されており、分注操作時には、上記可動体が移動本体として、補助チャンバに移行できるように、補助チャンバおよび可動体が設計されている。
【先行技術文献】
【特許文献】
【０００７】
【特許文献１】米国特許出願公開第２００３／０１３６７９９号明細書
【発明の概要】
【発明が解決しようとする課題】
【０００８】
しかしながら、特許文献１に記載の混合カプセルを含め、従来の混合カプセルは、各成分の分離、成分の混合、混合物の吐出のために複雑な機構を必要としている。
そこで、本発明者らは、上記の課題を解決すべく鋭意検討を行った結果、従来の混合カプセルとは全く異なった構成・機構により、従来の課題を解決できることを見出した。
【０００９】
すなわち、本発明は、分離、混合、吐出のために複雑な機構を必要とすることなく、（１）保存時には、安全且つ確実に各内容物を個別に収納・保存でき、（２）使用時には、シリンジ外部に内容物を取り出すくとなく、シリンジ内で各内容物を十分に混合でき、さらに、内容物を良好な信頼性とともに簡便かつ円滑に吐出できるプレフィルドシリンジおよび複合型プレフィルドシリンジを提供することを課題とする。
【課題を解決するための手段】
【００１０】
本発明に係る歯科用または外科用プレフィルドシリンジおよび複合型プレフィルドシリンジは、以下のとおりである。
本発明の歯科用または外科用プレフィルドシリンジ（プレフィルドシリンジ（１））は、下記（１）〜（９）を備え、少なくとも１つの中間空間部において、押圧側空間部と中間空間部とを導通可能するためのバイパス部（ａ）が形成され、吐出側空間部において、中間空間部と吐出側空間部とを導通可能にするためのバイパス部（ｂ）が形成されてなり、当該バイパス部の長軸方向における長さが、当該バイパス部が形成されている空間部の長軸方向における長さよりも短く、前記バイパス部の押圧側に位置するガスケット部の長軸方向における厚さよりも長くされてなるプレフィルドシリンジであって、プランジャー部の押圧操作により、前記バイパス部（ａ）より押圧側に位置する中間ガスケット部が吐出側に移動して、当該中間ガスケット部の押圧側の面が、当該バイパス部（ａ）の押圧側端部を通過したときに、当該バイパス部（ａ）を介して押圧側空間部と中間空間部とが導通状態となり、吐出側ガスケット部が吐出側に移動して当該吐出側ガスケット部の押圧側の面が前記バイパス部（ｂ）の押圧側端部を通過したときに、当該バイパス部（ｂ）を介して中間空間部と吐出側空間部とが導通状態となり、さらに、吐出側空間部に流入した内容物が、吐出部に留め金により締結された吐出口を介して、筒体外部へ吐出されることが可能なように形成されていることを特徴とする。
【００１１】
（１）  最吐出側に位置する最吐出側壁面と内容物を吐出するための吐出口とを有する吐出部を備えた筒体
（２）  筒体内に挿嵌されたプランジャー部
（３）  筒体内で、プランジャー部よりも吐出側に位置する押圧側ガスケット部
（４）  筒体内で、押圧側ガスケット部と吐出部との間に位置する吐出側ガスケット部
（５）  筒体内で、押圧側ガスケット部と吐出側ガスケット部との間に位置する少なくとも１つの中間ガスケット部
（６）  筒体内で、押圧側ガスケット部と中間ガスケット部とで画定される押圧側空間部
（７）  筒体内で、吐出側ガスケット部と吐出部とで画定される吐出側空間部
（８）  筒体内で、中間ガスケット部と吐出側ガスケット部で画定される中間空間部
（９）押圧側空間部および／または中間空間部に含まれる内容物
【００１２】
また、本発明の歯科用または外科用プレフィルドシリンジ（１）は、複数の中間空間部を有し、当該複数の中間空間部のうち、少なくとも１つの空間部に、吐出側の中間空間部と押圧側の中間空間部とを導通可能にするためのバイパス部（ａ´）が形成され、プランジャー部の押圧操作により、吐出側の中間空間部の押圧側に位置する中間ガスケット部が、吐出側に移動し、当該中間ガスケット部の押圧側の面が、前記中間空間部のバイパス部（ａ´）の押圧側端部を通過したときに、当該バイパス部（ａ´）を介して、吐出側の中間空間部と押圧側の中間空間部とを導通状態となるように形成されていることが好ましい。
【００１３】
また、本発明の歯科用または外科用プレフィルドシリンジ（１）は、前記バイパス部の長軸方向における長さが、当該バイパス部が形成されている空間部の長軸方向における長さがよりも短く、前記バイパス部の押圧側に位置するガスケット部の長軸方向における厚さよりも長いことが好ましい。
【００１４】
また、本発明の歯科用または外科用プレフィルドシリンジ（１）は、前記バイパス部の形状が、溝形状であることが好ましい。
また、本発明のプレフィルドシリンジ（１）は、１つの中間空間部を有し、当該中間空間部に、内容物として低活性物質または不活性物質が含まれ、かつ押圧側空間および吐出側空間部に、内容物として活性物質が含まれるか、複数の中間空間部を有し、当該複数の中間空間部のうち、少なくとも１つの空間部に、内容物として低活性物質または不活性物質が含まれ、かつ当該低活性物質または不活性物質を含む中間空間部の両側に位置する中間空間部または押圧側空間部に、内容物として活性物質が含まれることが好ましい
【００１５】
本発明のプレフィルドシリンジ（プレフィルドシリンジ（２））は、内容物を吐出するための吐出部を備えた筒体と、該筒部の長軸方向に液密的または気密的に摺動可能なガスケット部と、当該ガスケット部を押圧するためのプランジャー部と、を有するプレフィルドシリンジであって、前記筒体が可撓性材料から構成され、当該筒体内部に、内容物が封入された易破壊性アンプルを有し、前記筒部を折り曲げた際に、筒部が破割することなく、易破壊性アンプルが破割して、破割された易破壊性アンプルから内容物が筒部内部に漏出でき、プランジャー部の押圧操作により、吐出部から筒体外部へ吐出されることが可能なように形成されていることを特徴とする。
【００１６】
また、本発明の歯科用または外科用プレフィルドシリンジ（２）は、前記筒体内部に、さらに固体の内容物が含まれることが好ましい。
また、本発明のプレフィルドシリンジ（２）は、前記易破壊性アンプルの破割片が吐出することを防ぐためのフィルターが、筒体内にて、易破壊性アンプルよりも吐出部側に設置され、当該フィルターと吐出部とから画定される空間に固体の内容物が含まれていることが好ましい。
【００１７】
また、本発明の歯科用または外科用プレフィルドシリンジ（２）は、前記易破壊性アンプルの破割片が吐出することを防ぐためのフィルターが、易破壊性アンプルを被覆していることが好ましい。
また、本発明の歯科用または外科用プレフィルドシリンジ（２）は、前記易破壊性アンプルの材質が、ガラスであることが好ましい。
【００１８】
また、本発明のプレフィルドシリンジ（２）は、前記易破壊性アンプルの材質が、破割性ガラスであることが好ましい。
本発明の複合型プレフィルドシリンジ（プレフィルドシリンジ（３））は、下記（Ａ１）〜（Ａ４）を有する外筒部（Ａ）と下記（Ｂ１）〜（Ｂ７）を有する内筒部（Ｂ）とを備え、筒体（ａ）内に吐出部（ａ）に向かって、押圧側ガスケット部（ａ）、前記内筒部（Ｂ）が順に挿嵌され、かつ吐出部（ｂ）が押圧側ガスケット部（ａ）を貫通し、吐出側空間部（ｂ）において、押圧側空間部（ｂ）と吐出側空間部（ｂ）とを導通可能にするためのバイパス部（ｂ2）が形成されてなる複合型プレフィルドシリンジであって、プランジャー部の押圧操作により、
吐出側ガスケット部（ｂ）が吐出側に移動して、当該吐出側ガスケット部（ｂ）の押圧側の面がバイパス部（ｂ2）の押圧側端部を通過したときに、前記バイパス部（ｂ2）を介して吐出側空間部（ｂ）と押圧側空間部（ｂ）とが導通状態となり、内容物（ｂ）が吐出側空間部（ｂ）に流入し、さらに、当該内容物（ｂ）が、吐出部（ｂ）を介して空間部（ａ）に流入し、当該内容物（ｂ）とともに内容物（ａ）が、吐出部（ａ）を介して外筒部外部へ吐出されることが可能なように形成されていることを特徴とする。
【００１９】
（Ａ１）  最吐出側に位置する最吐出側壁面（ａ）と内容物を吐出するための吐出口（ａ）とを有する吐出部（ａ）を備えた筒体（ａ）
（Ａ２）  筒体（ａ）内で、吐出部（ａ）の押圧側に位置する押圧側ガスケット部（ａ）
（Ａ３）  筒体（ａ）内で、押圧側ガスケット部（ａ）と前記吐出部（ａ）とで画定される空間部（ａ）
（Ａ４）  空間部（ａ）に含まれる内容物（ａ）
（Ｂ１）  最吐出側に位置する最吐出側壁面（ｂ）と内容物を吐出するための吐出口（ｂ）とを有する吐出部（ｂ）を備えた筒体（ｂ）
（Ｂ２）  筒体（ｂ）に挿嵌されたプランジャー部（ｂ）
（Ｂ３）筒体（ｂ）内で、プランジャー部（ｂ）よりも吐出側に位置する押圧側ガスケット部（ｂ）
（Ｂ４）  筒体（ｂ）内で、押圧側ガスケット部（ｂ）と吐出部（ｂ）との間に位置する吐出側ガスケット部（ｂ）
（Ｂ５）  筒体（ｂ）内で、押圧側ガスケット部（ｂ）と吐出側ガスケット部（ｂ）とで画定される押圧側空間部（ｂ）
（Ｂ６）  筒体（ｂ）内で、吐出側ガスケット部（ｂ）と吐出部（ｂ）とで画定される吐出側空間部（ｂ）
（Ｂ７）  押圧側空間部（ｂ）に含まれる内容物（ｂ）
【００２０】
また、本発明の歯科用または外科用複合型プレフィルドシリンジ（プレフィルドシリンジ（３））は、下記（Ａ１）〜（Ａ４）を有する外筒部（Ａ）と下記（Ｂ１）〜（Ｂ９）を有する内筒部（Ｂ）とを備え、筒体（ａ）内に吐出部（ａ）に向かって、押圧側ガスケット部（ａ）、前記内筒部（Ｂ）が順に挿嵌され、かつ吐出部（ｂ）が押圧側ガスケット部（ａ）を貫通し、少なくとも１つの中間空間部（ｂ）において、押圧側空間部（ｂ）と中間空間部（ｂ）とを導通可能にするためのバイパス部（ｂ1）、当該吐出側空間部（ｂ）において、中間空間部（ｂ）と吐出側空間部（ｂ）とを導通可能にするためのバイパス部（ｂ2）が形成されてなる複合型プレフィルドシリンジであって、プランジャー部（ｂ）の押圧操作により、前記バイパス部（ｂ1）より押圧側に位置する中間ガスケット部（ｂ）が吐出側に移動し、当該中間ガスケット部（ｂ）の押圧側の面が前記バイパス部（ｂ1）の押圧側端部を通過したときに、前記バイパス部（ｂ1）を介して中間空間部（ｂ）と押圧側空間部（ｂ）とが導通状態となり、吐出側ガスケット部（ｂ）が吐出側に移動し、当該吐出側ガスケット部（ｂ）の押圧側の面が当該バイパス部（ｂ2）の押圧側端部を通過したときに、前記バイパス部（ｂ2）を介して中間空間部（ｂ）と吐出側空間部（ｂ）とが導通状態となり、内容物（ｂ）が吐出側空間部（ｂ）に流入し、さらに、当該内容物（ｂ）が、吐出部（ｂ）を介して空間部（ａ）に流入し、当該内容物（ｂ）とともに内容物（ａ）が、吐出部（ａ）を介して外筒部外部へ吐出されることが可能なように形成されていることを特徴とする。
【００２１】
（Ａ１）  最吐出側に位置する最吐出側壁面（ａ）と内容物を吐出するための吐出口とを有する吐出部（ａ）を備えた筒体（ａ）
（Ａ２）  筒体（ａ）内で、吐出部（ａ）の押圧側に位置する押圧側ガスケット部（ａ）
（Ａ３）  筒体（ａ）内で、押圧側ガスケット部（ａ）と前記吐出部（ａ）とで画定される空間部（ａ）
（Ａ４）  空間部（ａ）に含まれる内容物（ａ）
（Ｂ１）  最吐出側に位置する最吐出側壁面（ｂ）と内容物を吐出するための吐出口とを有する吐出部（ｂ）を備えた筒体（ｂ）
（Ｂ２）  筒体（ｂ）に挿嵌されたプランジャー部（ｂ）
（Ｂ３）  筒体（ｂ）内で、プランジャー部（ｂ）よりも吐出側に位置する押圧側ガスケット部（ｂ）
（Ｂ４）  筒体（ｂ）内で、押圧側ガスケット部と吐出部との間に位置する吐出側ガスケット部（ｂ）
（Ｂ５）  筒体（ｂ）内で、押圧側ガスケット部（ｂ）と吐出側ガスケット部（ｂ）との間に位置する中間ガスケット部（ｂ）
（Ｂ６）  筒体（ｂ）内で、押圧側ガスケット部（ｂ）と中間ガスケット部（ｂ）とで画定される押圧側空間部（ｂ）
（Ｂ７）  筒体（ｂ）内で、吐出側ガスケット部（ｂ）と吐出部（ｂ）とで画定される吐出側空間部（ｂ）
（Ｂ８）  筒体（ｂ）内で、吐出側ガスケット部（ｂ）と中間ガスケット部（ｂ）とで画定される中間空間部（ｂ）
（Ｂ９）  押圧側空間部（ｂ）および／または中間空間部（ｂ）に含まれる内容物（ｂ）
【００２２】
また、本発明の歯科用または外科用プレフィルドシリンジ（３）は、複数の中間空間部（ｂ）を有し、当該複数の中間空間部（ｂ）のうち、少なくとも１つの空間部に、吐出側の中間空間部（ｂ）と押圧側の中間空間部（ｂ）とを導通可能にするためのバイパス部（ｂ3）が形成され、プランジャー部の押圧操作により、吐出側の中間空間部（ｂ）の、押圧側に位置する中間ガスケット部（ｂ）が、吐出側に移動し、当該中間ガスケット部の押圧側の面が、前記中間空間部のバイパス部（ｂ3）の押圧側端部を通過したときに、当該バイパス部（ｂ3）を介して、吐出側の中間空間部（ｂ）と押圧側の中間空間部（ｂ）とを導通状態となるように形成されていることが好ましい。
【００２３】
また、本発明の歯科用または外科用プレフィルドシリンジ（３）は、前記空間部（ａ）が、下記（Ａ５）〜（Ａ７）を有し、内容物（ａ）が、下記押圧側空間部（ａ）に含まれ、押圧側空間部（ａ）と吐出側空間部（ａ）とを導通可能にするためのバイパス部（ａ）が形成されてなり、吐出側ガスケット部（ａ）が吐出側に移動し、当該吐出側ガスケット部（ａ）の押圧側の面が前記バイパス部（ａ）の押圧側端部を通過したときに、押圧側空間部（ａ）と吐出側空間部（ａ）とが、前記バイパス部（ａ）を介して導通状態となることが可能なように形成されていることが好ましい。
（Ａ５）  筒体（ａ）内で、押圧側ガスケット部（ａ）と吐出部（ａ）との間に位置する吐出側ガスケット部（ａ）
（Ａ６）  筒体（ａ）内で、押圧側ガスケット部（ａ）と吐出側ガスケット部（ａ）とで画定される押圧側空間部（ａ）
（Ａ７）  筒体（ａ）内で、吐出側ガスケット部（ａ）と吐出部（ａ）とで画定される吐出部側空間部（ａ）
〔１〕
内容物を吐出するための吐出部を備えた筒体と、該筒部の長軸方向に液密的または気密的に摺動可能なガスケット部と、当該ガスケット部を押圧するためのプランジャー部と、を有するプレフィルドシリンジであって、
前記筒体が可撓性材料から構成され、当該筒体内部に、内容物が封入された易破壊性アンプルを有し、
前記筒部を折り曲げた際に、筒部が破割することなく、易破壊性アンプルが破割して、破割された易破壊性アンプルから内容物が筒部内部に漏出でき、プランジャー部の押圧操作により、吐出部から筒体外部へ吐出されることが可能なように形成されていることを特徴とするプレフィルドシリンジ。
〔２〕
前記筒体内部に、さらに固体の内容物が含まれることを特徴とする〔１〕に記載のプレフィルドシリンジであり。
〔３〕
前記易破壊性アンプルの破割片が吐出することを防ぐためのフィルターが、筒体内にて、易破壊性アンプルよりも吐出部側に設置され、当該フィルターと吐出部とから画定される空間に固体の内容物が含まれていることを特徴とする〔１〕または〔２〕に記載のプレフィルドシリンジ。
〔４〕
前記易破壊性アンプルの破割片が吐出することを防ぐためのフィルターが、易破壊性アンプルを被覆していることを特徴とする〔1〕〜〔３〕の何れかに記載のプレフィルドシリンジ。
〔５〕
前記易破壊性アンプルの材質が、ガラスであることを特徴とする〔１〕〜〔４〕の何れかに記載のプレフィルドシリンジ。
〔６〕
前記易破壊性アンプルの材質が、破割性ガラスであることを特徴とする〔５〕に記載のプレフィルドシリンジ。
〔７〕
下記（Ａ１）〜（Ａ４）を有する外筒部（Ａ）と下記（Ｂ１）〜（Ｂ７）を有する内筒部（Ｂ）とを備え、
筒体（ａ）内に吐出部（ａ）に向かって、押圧側ガスケット部（ａ）、前記内筒部（Ｂ）が順に挿嵌され、かつ吐出部（ｂ）が押圧側ガスケット部（ａ）を貫通し、
吐出側空間部（ｂ）において、押圧側空間部（ｂ）と吐出側空間部（ｂ）とを導通可能にするためのバイパス部（ｂ2）が形成されてなる複合型プレフィルドシリンジであって、
プランジャー部の押圧操作により、
吐出側ガスケット部（ｂ）が吐出側に移動して、当該吐出側ガスケット部（ｂ）の押圧側の面がバイパス部（ｂ2）の押圧側端部を通過したときに、前記バイパス部（ｂ2）を介して吐出側空間部（ｂ）と押圧側空間部（ｂ）とが導通状態となり、
内容物（ｂ）が吐出側空間部（ｂ）に流入し、さらに、当該内容物（ｂ）が、吐出部（ｂ）を介して空間部（ａ）に流入し、当該内容物（ｂ）とともに内容物（ａ）が、吐出部（ａ）を介して外筒部外部へ吐出されることが可能なように形成されていることを特徴とする複合型プレフィルドシリンジ。
（Ａ１）  最吐出側に位置する最吐出側壁面（ａ）と内容物を吐出するための吐出口（ａ）とを有する吐出部（ａ）を備えた筒体（ａ）
（Ａ２）  筒体（ａ）内で、吐出部（ａ）の押圧側に位置する押圧側ガスケット部（ａ）
（Ａ３）  筒体（ａ）内で、押圧側ガスケット部（ａ）と前記吐出部（ａ）とで画定される空間部（ａ）
（Ａ４）  空間部（ａ）に含まれる内容物（ａ）
（Ｂ１）  最吐出側に位置する最吐出側壁面（ｂ）と内容物を吐出するための吐出口（ｂ）とを有する吐出部（ｂ）を備えた筒体（ｂ）
（Ｂ２）  筒体（ｂ）に挿嵌されたプランジャー部（ｂ）
（Ｂ３）筒体（ｂ）内で、プランジャー部（ｂ）よりも吐出側に位置する押圧側ガスケット部（ｂ）
（Ｂ４）  筒体（ｂ）内で、押圧側ガスケット部（ｂ）と吐出部（ｂ）との間に位置する吐出側ガスケット部（ｂ）
（Ｂ５）  筒体（ｂ）内で、押圧側ガスケット部（ｂ）と吐出側ガスケット部（ｂ）とで画定される押圧側空間部（ｂ）
（Ｂ６）  筒体（ｂ）内で、吐出側ガスケット部（ｂ）と吐出部（ｂ）とで画定される吐出側空間部（ｂ）
（Ｂ７）  押圧側空間部（ｂ）に含まれる内容物（ｂ）
〔８〕
下記（Ａ１）〜（Ａ４）を有する外筒部（Ａ）と下記（Ｂ１）〜（Ｂ９）を有する内筒部（Ｂ）とを備え、
筒体（ａ）内に吐出部（ａ）に向かって、押圧側ガスケット部（ａ）、前記内筒部（Ｂ）が順に挿嵌され、かつ吐出部（ｂ）が押圧側ガスケット部（ａ）を貫通し、
少なくとも１つの中間空間部（ｂ）において、押圧側空間部（ｂ）と中間空間部（ｂ）とを導通可能にするためのバイパス部（ｂ1）、
当該吐出側空間部（ｂ）において、中間空間部（ｂ）と吐出側空間部（ｂ）とを導通可能にするためのバイパス部（ｂ2）が形成されてなる複合型プレフィルドシリンジであって、
プランジャー部（ｂ）の押圧操作により、
前記バイパス部（ｂ1）より押圧側に位置する中間ガスケット部（ｂ）が吐出側に移動し、当該中間ガスケット部（ｂ）の押圧側の面が前記バイパス部（ｂ1）の押圧側端部を通過したときに、前記バイパス部（ｂ1）を介して中間空間部（ｂ）と押圧側空間部（ｂ）とが導通状態となり、
吐出側ガスケット部（ｂ）が吐出側に移動し、当該吐出側ガスケット部（ｂ）の押圧側の面が当該バイパス部（ｂ2）の押圧側端部を通過したときに、前記バイパス部（ｂ2）を介して中間空間部（ｂ）と吐出側空間部（ｂ）とが導通状態となり、
内容物（ｂ）が吐出側空間部（ｂ）に流入し、さらに、当該内容物（ｂ）が、吐出部（ｂ）を介して空間部（ａ）に流入し、当該内容物（ｂ）とともに内容物（ａ）が、吐出部（ａ）を介して外筒部外部へ吐出されることが可能なように形成されていることを特徴とする複合型プレフィルドシリンジ。
（Ａ１）  最吐出側に位置する最吐出側壁面（ａ）と内容物を吐出するための吐出口とを有する吐出部（ａ）を備えた筒体（ａ）
（Ａ２）  筒体（ａ）内で、吐出部（ａ）の押圧側に位置する押圧側ガスケット部（ａ）
（Ａ３）  筒体（ａ）内で、押圧側ガスケット部（ａ）と前記吐出部（ａ）とで画定される空間部（ａ）
（Ａ４）  空間部（ａ）に含まれる内容物（ａ）
（Ｂ１）  最吐出側に位置する最吐出側壁面（ｂ）と内容物を吐出するための吐出口とを有する吐出部（ｂ）を備えた筒体（ｂ）
（Ｂ２）  筒体（ｂ）に挿嵌されたプランジャー部（ｂ）
（Ｂ３）  筒体（ｂ）内で、プランジャー部（ｂ）よりも吐出側に位置する押圧側ガスケット部（ｂ）
（Ｂ４）  筒体（ｂ）内で、押圧側ガスケット部と吐出部との間に位置する吐出側ガスケット部（ｂ）
（Ｂ５）  筒体（ｂ）内で、押圧側ガスケット部（ｂ）と吐出側ガスケット部（ｂ）との間に位置する中間ガスケット部（ｂ）
（Ｂ６）  筒体（ｂ）内で、押圧側ガスケット部（ｂ）と中間ガスケット部（ｂ）とで画定される押圧側空間部（ｂ）
（Ｂ７）  筒体（ｂ）内で、吐出側ガスケット部（ｂ）と吐出部（ｂ）とで画定される吐出側空間部（ｂ）
（Ｂ８）  筒体（ｂ）内で、吐出側ガスケット部（ｂ）と中間ガスケット部（ｂ）とで画定される中間空間部（ｂ）
（Ｂ９）  押圧側空間部（ｂ）および／または中間空間部（ｂ）に含まれる内容物（ｂ）
〔９〕
複数の中間空間部（ｂ）を有し、当該複数の中間空間部（ｂ）のうち、少なくとも１つの空間部に、吐出側の中間空間部（ｂ）と押圧側の中間空間部（ｂ）とを導通可能にするためのバイパス部（ｂ3）が形成され、
プランジャー部の押圧操作により、
吐出側の中間空間部（ｂ）の、押圧側に位置する中間ガスケット部（ｂ）が、吐出側に移動し、当該中間ガスケット部の押圧側の面が、前記中間空間部のバイパス部（ｂ3）の押圧側端部を通過したときに、当該バイパス部（ｂ3）を介して、吐出側の中間空間部（ｂ）と押圧側の中間空間部（ｂ）とを導通状態となるように形成されていることを特徴とする〔７〕または〔８〕に記載の複合型プレフィルドシリンジ。
〔１０〕
前記空間部（ａ）が、下記（Ａ５）〜（Ａ７）を有し、
内容物（ａ）が、下記押圧側空間部（ａ）に含まれ、
押圧側空間部（ａ）と吐出側空間部（ａ）とを導通可能にするためのバイパス部（ａ）が形成されてなり、
吐出側ガスケット部（ａ）が吐出側に移動し、当該吐出側ガスケット部（ａ）の押圧側の面が前記バイパス部（ａ）の押圧側端部を通過したときに、押圧側空間部（ａ）と吐出側空間部（ａ）とが、前記バイパス部（ａ）を介して導通状態となることが可能なように形成されていることを特徴とする請求項１２〜１４の何れか一項に記載の複合型プレフィルドシリンジ。
（Ａ５）  筒体（ａ）内で、押圧側ガスケット部（ａ）と吐出部（ａ）との間に位置する吐出側ガスケット部（ａ）
（Ａ６）  筒体（ａ）内で、押圧側ガスケット部（ａ）と吐出側ガスケット部（ａ）とで画定される押圧側空間部（ａ）
（Ａ７）  筒体（ａ）内で、吐出側ガスケット部（ａ）と吐出部（ａ）とで画定される吐出部側空間部（ａ）
【発明の効果】
【００２４】
本発明のプレフィルドシリンジおよび複合型プレフィルドシリンジは、複雑で高価な機構を用いることなく、（１）保存時においては、複数の内容物が混じる合うことなく、安全且つ確実に、各内容物を個別に収納・保存でき、（２）使用時においては、シリンジから各内容物を取り出す必要無く、シリンジ内で各内容物を十分に混合でき、さらに、内容物を良好な信頼性とともに簡便かつ円滑に吐出することができる。
【図面の簡単な説明】
【００２５】
【図１】図１は、本発明に係るプレフィルドシリンジ（プレフィルドシリンジ（１））の一態様を示す断面図である。
【図２】図２は、本発明に係るプレフィルドシリンジ（プレフィルドシリンジ（１））の一態様を示す断面図である。
【図３】図３は、溝状形状のバイパス部を示す断面図である。
【図４】図４は、本発明に係るプレフィルドシリンジ（プレフィルドシリンジ（２））の一態様を示す断面図である。
【図５】図５は、本発明に係るプレフィルドシリンジ（プレフィルドシリンジ（２））の一態様を示す断面図である。
【図６】図６は、本発明に係る複合型プレフィルドシリンジ（プレフィルドシリンジ（３））の一態様を示す断面図である。
【図７】図７は、本発明に係る複合型プレフィルドシリンジ（プレフィルドシリンジ（３））の一態様を示す断面図である。
【図８】図８は、本発明に係る複合型プレフィルドシリンジ（プレフィルドシリンジ（３））の一態様を示す断面図である。
【発明を実施するための最良の形態】
【００２６】
本発明に係るプレフィルドシリンジおよび複合型プレフィルドシリンジについて、以下、図面を参照しながら具体的に説明する。
なお、説明の便宜上、本発明に係るプレフィルドシリンジおよび複合型プレフィルドシリンジを、プレフィルドシリンジ（１）〜（３）に大別し、それぞれ別個に説明する。
【００２７】
［プレフィルドシリンジ（１）］
本発明のプレフィルドシリンジ（１）が例示されている図１〜２を用いて具体的に説明する。
【００２８】
まず、図１の付け番１０は、プレフィルドシリンジ（１）の一態様を示す。このプレフィルドシリンジ（１）１０を構成する筒体１１は、長軸方向に、１１ａ、１１ｂをそれぞれ押圧側、吐出側とした場合、吐出側１１ｂの最吐出側において、最吐出側壁面と内容物を吐出するための吐出口とを有する吐出部を備えている。
【００２９】
筒体１１の内面は、後述するバイパス部を除いて、ガスケット部（押圧側ガスケット部１２ａ、中間ガスケット部１２ｂ、吐出側ガスケット部１２ｃ）が密閉状態（液密状態／気密状態）を保持したまま滑らかに摺動できるようになっている。そのために、筒体１１の内面は、長軸方向に平行で凹凸のない形状を有するものが好適である。
【００３０】
また、筒体１１の材質としては、特に限定されるものではなく、例えば、ガラス、テフロン（登録商標）、ポリプロピレン等が挙げられる。
吐出部１６の吐出口１６ａは、内容物を筒体１１内部から筒体１１外部へ吐出する機能を有する。このような機能を有する限り、吐出口の形状は、特に限定されるものではなく、使用目的・用途に応じて適宜変更できる。
【００３１】
例えば、吐出口の断面の形状としては、略円形が好ましいが、幅広であってもよい。また、吐出口内に内容物の混合攪拌を更に促すために、吐出口において、その内壁に凹凸形状物を設けてもよいし、迷路状の経路を形成してもよい。
【００３２】
なお、図１で示されるプレフィルドシリンジ（１）１０においては、吐出口１６ａが留め金１７にて締結されているが、留め金を介さずに吐出部と筒体とが直接係合されてもよいし、筒体と吐出部とが一体成形されていてもよい。前者の場合、図１の付け番１６ｂに示されるように、留め金の押圧側の面が最吐出側壁面となる。
【００３３】
付け番１５は、筒体１１の押圧側１１ａにて、筒体内に挿嵌されたプランジャー部を示す。プランジャー部１５を押圧側１１ａから吐出側１１ｂに押圧する操作（押圧操作）により、押圧側ガスケット部１２ａを押圧側１１ａから吐出側１１ｂへ移動させ、各空間部に含まれる内容物を吐出側１１ｂに移動させ、最終的には吐出部１６から筒体１１外部へ吐出させることができる。
【００３４】
なお、図１においては、プランジャー部１５は、押圧側ガスケット部１２ａと連結されてなるものが例示されており、プランジャー部としては、このような構成を有するものが好ましいが、これに限定されるものではない。
【００３５】
例えば、プランジャー部は、押圧側ガスケット部とプランジャー部とが連結されておらず、単に接しているだけの構造であってもよい。
また、押圧操作は、通常、手動によるプランジャー部の押圧による操作であるが、その代りに、流体圧や電磁気的手段を用いた操作であってもよい。
【００３６】
図１の付け番１２ａ、１２ｃは、それぞれ、筒体１１の押圧側１１ａに位置する押圧側ガスケット部、筒体１１の吐出側１１ｂに位置する吐出側ガスケット部を示している。
また、付け番１２ｂは、押圧側ガスケット部１２ａと吐出側ガスケット部１２ｃとの間に位置する中間ガスケット部を示している。
【００３７】
さらに、筒体１１内には、両端を上記ガスケット同士で、あるいは吐出側ガスケットと吐出部とで画定（区画）された空間部（押圧側空間部１３ａ、中間空間部１３ｂ、吐出側空間部１３´）が含まれる。
【００３８】
付け番１３ａは、押圧側空間部を示しており、筒体内で、押圧側ガスケット部１２ａと中間ガスケット部１２ｂとで画定される空間部である。また、付け番１３ｂは、中間空間部を示しており、筒体内で、中間ガスケット部１２ｂと吐出側ガスケット部１２ｃで画定される空間部である。
【００３９】
なお、プレフィルドシリンジ（１）は、図１に示すように、単一の中間ガスケット部１２ｂと単一の中間空間部１３ｂとを有していてもよいし、図２に示すように、複数の中間ガスケット部１２ｂ、１２ｂ´と複数の中間空間部１３ｂ、１３ｂ´を有していてもよい。図２の付け番１３ｂは、中間ガスケット同士で画定される中間空間部である。
【００４０】
さらに、図１の付け番１３´は、吐出側空間部を示し、筒体内で吐出側ガスケット部１２ｃと吐出部１６とで画定される空間部である。
図１に示される、単一の中間空間部を有するプレフィルドシリンジ（１）において、押圧側空間部１３ａおよび／または中間空間部１３ｂには、内容物が含まれている。
【００４１】
同様に、図２に示される、複数の中間空間部を有するプレフィルドシリンジ（１）においても、押圧側空間部１３ａおよび／または中間空間部１３ｂ、１３ｂ´には、内容物が含まれている。
【００４２】
これらの空間部に内容物が含まれる場合でも、内容物が含まれない場合（すなわち、空間部に空気が満たされている場合）でも、これらの空間部は、液密的または気密的な状態で保持されている。また、後述するように、ガスケット部の押圧側の面がバイパス部の押圧側端部を通過しない限り、各空間部の内容物同士が混合されたり、内容物が筒体外部へ漏出したり、あるいは筒体外部からの異物が混入したりすることはない。
【００４３】
また、図１Ｂに示されるように、プランジャー部１５の押圧操作により、各ガスケット部１２ａ〜ｃおよび各空間部１３ａ〜ｂ、１３´を、任意の位置まで吐出側１１ｂに移動させることができる。逆に、押圧操作の停止により、各ガスケット部１２ａ〜ｃおよび各空間部１３ａ〜ｂ、１３´を任意の位置で停止できる。
【００４４】
また、押圧操作によって、各ガスケットの押圧側の面が、バイパス部の押圧側端部を通過するまでは、各ガスケット部の移動の割合は、同じであってもよいし、異なっていてもよい。
【００４５】
各ガスケット部の移動の割合は、例えば、各ガスケット部の材質を選択したり、各空間部に含まれる内容物の圧力を調節したりすることで調整できる。
また、図１の付け番１２ａ〜ｃに示される各ガスケット部においては、押圧側の面および／または吐出側の面の形状として略平面が例示されているが、凹面または凸面であってもよい。
【００４６】
ガスケット部の形状としては、複数のリング状凸部を有する略円筒または略円盤状のプラグまたはピストンなどの形状であることが好ましい。このような形状にすることにより、ガスケット部の摺動の際に発生する摩擦力が低減されるとともに、ガスケット部が筒体内壁に密着する部分が分割されるために、空間部において、液密的または気密的な状態を安定的に保持することができる。
【００４７】
ガスケット部の材質としては、筒体内においてガスケット部間で画定される空間部において、液密的または気密的な状態を保持しながら摺動および停止することができる材質である限り特に限定されない。例えば、このような材質としては、天然ゴム、合成ゴム、天然ゴムと合成ゴムとの混合ゴム、テフロン（登録商標）、シリコーンゴム等が挙げられる。
【００４８】
各空間部の容積は、それぞれ収納・充填される内容物の種類や量に応じて設定されるが、該内容物の量よりも大きめに設定し、内容物を空間部に収納・充填後に該空間部の余った空間には、窒素ガスやアルゴンガス等の不活性ガスや、内容物に対して反応性が低い流体（低反応性ガス、低反応性液体）を封入して置いてもよい。
【００４９】
また、吐出側空間部の容積や長軸方向の長さ（図１では、Ｌ2´で示す。）は、押圧側空間部および／または中間空間部に含まれる内容物の合計量を考慮して、が適宜調節される。
【００５０】
なお、図１では示されていないが、筒体外部からの微生物や塵埃等の異物の混入を防ぐために、使用前（押圧操作前）は吐出部１６の吐出口１６ａを、キャップなどで封鎖しておくことが好ましい。
【００５１】
図１の付け番１４ａは、押圧側空間部１３ａと中間空間部１３ｂとを導通可能にするためのバイパス部（バイパス部（ａ））を示している。付け番１４ｂは、中間空間部１３ｂと吐出側空間部１３´とを導通可能にするためのバイパス部（バイパス部（ｂ））を示している。
【００５２】
なお、図２で示される、中間空間部を複数有するプレフィルドシリンジ（１）において、付け番１４ａ´は、吐出側の中間空間部１３ｂ´と押圧側の中間空間部１３ｂとを導通可能にするためのバイパス部（バイパス部（ａ´））を示している。
【００５３】
プレフィルドシリンジ（１）において、プランジャー部の押圧操作がなされると、押圧側空間部および／または中間空間部に含まれる内容物が、以下のような過程により、吐出部から筒体外部へ吐出される。以下、図１を用いて、この過程を説明する。
【００５４】
まず、プランジャー部１５の押圧操作により、バイパス部（ａ）１４ａより押圧側１１ａに位置する中間ガスケット部１２ｂが吐出側１１ｂに移動する。そして、吐出側１１ｂに移動している中間ガスケット部１２ｂの押圧側の面Ｓ1が、バイパス部（ａ）１４ａの押圧側端部Ｓ2を通過したときに、前記バイパス部（ａ）１４ａを介して押圧側空間部１３ａと中間空間部１３ｂとが導通状態となる（図１Ｂ）。つまり、押圧側空間部１３ａに内容物が含まれている場合は、押圧側空間部１３ａから中間空間部１３ｂに、内容物が流入する。
【００５５】
さらに、吐出側ガスケット部１２ｃが、吐出側１１ｂに移動する（図１（Ｃ））。そして、吐出側ガスケット部１２ｃの押圧側の面Ｓ1´がバイパス部（ｂ）１４ｂの押圧側端部Ｓ2´を通過したときに、バイパス部（ｂ）１４ｂを介して中間空間部１３ｂと吐出側空間部１３´とが導通状態となる（図１（Ｄ））。つまり、押圧側空間部１３ａおよび／または中間空間部１３ｂに含まれていた内容物は、中間空間部１３ｂから吐出側空間部１３´に流入する。
【００５６】
さらに、吐出側空間部１３´に流入した内容物は、留め金１７等にて固定された吐出部１６を介して、吐出側空間部１３´から筒体１１外部へ吐出される（図１（Ｄ）〜（Ｅ））。
【００５７】
なお、中間ガスケット部１２ｂの押圧側の面Ｓ1がバイパス部（ａ）１４ａの押圧側端部Ｓ2を通過した場合、内容物（流体）はバイパス部（ａ）１４ａに迂回して吐出側へ移動するため、この時の中間ガスケット部１２ｂは、ほぼ停止している（図１（Ｂ））。さらに、上記停止中の中間ガスケット部１２ｂの押圧側の面Ｓ1が、押圧側ガスケット部１２ａに接触すると、再び停止中の中間ガスケット部１２ｂは吐出側１１ｂへ移動し始める（図１（Ｃ））。
【００５８】
同様に、吐出側ガスケット部１２ｃの押圧側の面Ｓ1´がバイパス部（ｂ）１４ｂの押圧側端部Ｓ2´を通過した場合、内容物（流体）はバイパス部（ｂ）１４ｂに迂回して吐出側空間部１３´へ移動するため、この時の吐出側ガスケット部１２ｃは停止している（図１（Ｄ））。さらに、上記停止中の吐出側ガスケット部１２ｃの押圧側の面Ｓ1´が、中間ガスケット部１２ｂに接触すると、再び停止中の吐出側ガスケット部１２ｃは吐出側１１ｂへ移動し始める（図１（Ｅ））。
【００５９】
また、図２で示されるプレフィルドシリンジ（１）は、複数の中間空間部１３ｂ、１３ｂ´を有し、かつ当該複数の中間空間部１３ｂ、１３ｂ´にそれぞれバイパス部（ａ）１４ａ、バイパス部（ａ´）１４ａ´が形成されている。
【００６０】
ここで、バイパス部（ａ）１４ａは、押圧側空間部１３ａと押圧側１１ａに位置する中間空間部１３ｂとを導通させるためのバイパス部である。一方、バイパス部（ａ´）１４ａ´は、押圧側１１ａに位置する中間空間部１３ｂと、吐出側１１ｂに位置する中間空間部１３ｂ´とを導通させるためのバイパス部である。
【００６１】
プレフィルドシリンジ（１）が、このような構成を有する場合、押圧操作から内容物を吐出するまでの過程は、図２に例示されている。
まず、プランジャー部１５の押圧操作により、図１に示されるプレフィルドシリンジ（１）と同様にして、バイパス部（ａ）１４ａを介して押圧側空間部１３ａと中間空間部１３ｂとが導通状態となる（図２（Ａ）〜（Ｂ））。さらに、中間ガスケット部１２ｂ´が、吐出側に移動し、中間ガスケット部１２ｂ´の押圧側の面Ｓ1´´が、バイパス部（ａ´）１４ａ´の押圧側端部Ｓ2´´を通過したときに、前記バイパス部（ａ´）１４ａ´を介して押圧側の中間空間部１３ｂと吐出側の中間空間部１３ｂ´とが導通状態となる（図２（Ｃ））。
【００６２】
なお、中間ガスケット部１２ｂ、１２ｂ´、吐出側ガスケット部１２ｃの押圧側の面が、それぞれ、バイパス部１４ａ、１４ａ´、１４ｂの押圧側端部を通過した場合、流体はバイパス部に迂回して吐出側へ移動するため、中間ガスケット部１２ｂ、１２ｂ´、吐出側ガスケット部１２ｃは停止する。また、停止したガスケット部の押圧側の面と、当該ガスケット部の押圧側に位置するガスケット部とが接触すると、停止していたガスケット部は再び吐出側に移動する。（図２（Ｃ）〜（Ｅ））。
【００６３】
本発明のプレフィルドシリンジ（１）のバイパス部の形状は、上述のように押圧操作によるガスケット部の移動により、空間部間を導通可能にできる限り、特に限定されない。
例えば、筒体壁内または筒体外に形成された管状バイパス構造や、筒体内壁に形成された溝などが挙げられる。この中でも、構造が単純で、作成し易く障害が発生し難いという点で、バイパス部は、溝形状であることが好ましい。
【００６４】
また、形成し易いという観点から、図３（Ａ）の付け番３４で示されるように、バイパス部が、筒体外周３１に向かって、溝の幅３４´が漸次減少している溝形状を有することが好ましい。また、図３（Ｂ）の付け番３４ａ、３４ｂで示されるように、バイパス部として、複数の溝を設けても良い。
【００６５】
バイパス部としての溝の幅３４´は、内容物の導通に差し支えがない程度に大きく、かつガスケット部の移動に支障を生じない程度に小さいものであれば、特に限定されるものではない。また、バイパス部としての溝の深さ３４´´は、内容物の導通に差し支えがない程度に深く形成されていればよい。
【００６６】
例えば、筒体の長軸方向に垂直な面内において、任意の方向からの平行光線による射影の幅において比較すると、筒体内面の幅の方が溝の幅よりも大きいことが挙げられ、筒部内面の内周３１´に沿って計測して、好ましくは０．２〜１０ｍｍであり、より好ましくは０．５〜６ｍｍ、更に好ましくは１〜４ｍｍである。
【００６７】
筒体のバイパス部が形成されている部分を、長軸方向に対して垂直に断面した際の面積が最大である場合、このバイパス部の面積（バイパス部の最大断面積）に対する溝幅の比（バイパス部の最大断面積／溝幅）は、好ましくは０．０１〜２ｍｍ、より好ましくは０．０５〜１ｍｍ、更に好ましくは０．１〜０．５ｍｍである。なお、上記比（バイパス部の最大断面積／溝幅）は、バイパス部としての溝が最大断面積を有する場合での、平均的な溝深さを示す値と同一である。
【００６８】
バイパス部としての溝は、筒体内面に切削器具を差し込んで、切削して形成されてもよいし、溝の長さと幅のサイズに筒部を切り取った後に溝深さ分だけ浅い部材を嵌め込み、それらを接合して形成されてもよい。あるいは分割式の入れ子を用いて射出成形を用いて溝を形成してもよいし、溝を設ける部分を加熱軟化させた状態にて、筒内部にガス圧かけたり、当該部分に型を押しつけたりすることにより、外部に膨らませて溝を形成してもよい。
【００６９】
また、管状バイパス構造や溝等のバイパス部が、ポリマーや接着材等を用いて形成してなり、かつ内容物が、当該バイパス部が形成された空間部に含まれる場合、内容物と上記ポリマーや接着材等との接触により、化学反応が進行したり、特性が変化したりするなどの問題が生じる場合がある。この場合、図１のように、上記内容物を押圧側空間１３ａのような空間部内にバイパス部が形成されていない空間部に収納すれば、上記の問題を回避できる。
【００７０】
図１〜２に示すように、前記バイパス部（バイパス部（ａ）、（ａ´）、（ｂ））の長軸方向における長さ（図１中ではＬ1、Ｌ1´で示す。）が、当該バイパス部が形成されている空間部の長軸方向における長さ（図１中ではＬ2、Ｌ2´で示す。）がよりも短く、前記バイパス部の押圧側に位置するガスケット部の長軸方向における厚さ（図１中ではＬ3、Ｌ3´で示す。）よりも長いことが好ましい。
【００７１】
吐出側ガスケット部の押圧側の面が、バイパス部（ｂ）の押圧側端部を通過していない場合においては、中間空間部と吐出側空間部とが導通状態になっていない。そのため、内容物が筒体外部に曝されておらず、吐出することもなく、中間空間部において、内容物を自由に攪拌操作することが出来る。
【００７２】
また、バイパス部の押圧側に位置する各ガスケット部の長軸方向における厚さの合計（図１：Ｌ3とＬ4との合計、またはＬ3´とＬ3とＬ4との合計）、またはこれのうち、１つのガスケット部の長軸方向における厚さ（図１：Ｌ3´、Ｌ3またはＬ4）よりも、前記バイパス部の長軸方向における長さ（図１中ではＬ1、Ｌ1´で示す。）が、小さいことが好ましい。このように構成することで、吐出側に位置する空間部から、押圧側に位置する空間部へ内容物が逆流することを防止できる。
【００７３】
例えば、図１（Ａ）に示されるように、バイパス部（ａ）１４ａの長軸方向における長さＬ1は、バイパス部（ａ）  １４ａの押圧側に位置する各ガスケット部１２ａ、１２ｂの長軸方向における厚さＬ3、Ｌ4の合計（Ｌ3＋Ｌ4）よりも小さい。このような構成を有することで、図１（Ｄ）に示されるように、押圧操作中に、吐出側に位置する空間部（中間空間部１３ｂ）から、押圧側に位置する空間部（押圧側空間部１３ａ）への内容物の逆流を防ぐことができる。
【００７４】
なお、攪拌操作として、例えば、プレフィルドシリンジ（１）を手で振って筒体を震蕩させてもよく、超音波振動装置で振動を加えてもよい。
あるいは、押圧操作とは逆の操作、つまりプランジャー部１５を吐出側１１ｂから押圧側１１ａに引き戻す操作により、吐出側の空間部から押圧側の空間部に内容物を１回以上逆流させて、内容物の攪拌をすることができる。
【００７５】
このように、本発明のプレフィルドシリンジ（１）は、バイパス部（ｂ）１４ｂを有することで、内容物の混合の際に、ガス抜きや内容物漏洩防止のために吐出部１６の閉開操作をする煩わしさがなく、内容物の攪拌操作も安全に行うことができる。
【００７６】
押圧側空間部および／または中間空間部に含まれる内容物としては、後述する［プレフィルドシリンジに適用される内容物］にて具体的に例示する。
また、筒体内に含まれる内容物を筒体外部に暴露されることを確実に防ぐために、１つの中間空間部を有するプレフィルドシリンジ（１）において、中間空間部に、内容物として低活性物質または不活性物質が含まれ、かつ押圧側空間および吐出側空間部に、内容物として活性物質が含まれることが好ましい。
【００７７】
また、内容物同士の隔離をより確実なものとするために、複数の中間空間部を有するプレフィルドシリンジ（１）において、複数の中間空間部のうち、少なくとも１つの空間部に、内容物として低活性物質または不活性物質が含まれ、かつ当該低活性物質または不活性物質を含む中間空間部の両側に位置する中間空間部または押圧側空間部１３ａ、内容物として活性物質が含まれることが好ましい。
【００７８】
なお、図１〜２においては、押圧側空間部１３ａ、中間空間部１３ｂ、１３ｂ´に内容物が含まれ、吐出側空間部１３´には内容物が含まれない態様を示しているが、吐出側空間部に内容物が含まれていてもよい。
【００７９】
吐出側空間部に内容物が含まれる態様においては、吐出部から、該内容物が漏出することを防ぐためのキャップ等が設置されていることが好ましい。特に、吐出側空間部に含まれる内容物としては、好ましくは、粉末等の固体の内容物であり、より好ましくは、中間空間部および／または押圧側空間部に含まれる内容物に対して不溶または難溶である粉体である。
【００８０】
内容物を収容するシリンジを複数備えたプレフィルドシリンジは、従来から知られているが、その構造・機構（例えば、複数のシリンジを並列状態で配している構成など）が複雑であり、このプレフィルドシリンジを製造するにあたっては、複雑な成形を要する。それに対して、上述したように、本発明のプレフィルドシリンジ（１）は、従来のプレフィルドシリンジとは異なった構造・機構を有することで、以下のような効果を発揮することができる。
【００８１】
（１）保存時においては、複数の内容物が混じる合うことなく、安全且つ確実に、各内容物を個別に収納・保存できる。
（２）使用時においては、シリンジから各内容物を取り出す必要無く、シリンジ内で各内容物を十分に混合でき、さらに、内容物を良好な信頼性とともに簡便かつ円滑に吐出できる。
【００８２】
［プレフィルドシリンジ（２）］
図４の付け番４０は、本発明のプレフィルドシリンジ（２）の一態様を示す。図４に示されるプレフィルドシリンジ（２）４０は、内容物を吐出するための吐出口４６を備えた筒体４１と、該筒体４１の長軸方向に液密的または気密的に摺動可能なガスケット部４２ａと、当該ガスケット部４２ａを押圧するためのプランジャー部４５と、を有する。また、筒体４１が可撓性材料から構成され、当該筒体４１内部に、内容物が封入された易破壊性アンプル４３ａ、４３ｂを有する。さらに、図４（Ｂ）に示すように、筒部４１を折り曲げた際に、筒部４１が破割することなく、易破壊性アンプル４３ａ、４３ｂが破割する。そして、図４（Ｃ）に示すように、この破割された易破壊性アンプル４３ａ´、４３ｂ´から内容物４３ａｂが筒体４１内部に漏出する。この時、プレフィルドシリンジ（２）４０は、プランジャー部４５の押圧操作により、吐出口４６から筒体４１外部へ吐出されることが可能なように形成されている。
【００８３】
なお、図４に示される態様は、２つの易破壊性アンプルを有する例であるが、本発明のプレフィルシリンジ（２）の使用目的等に応じて、易破壊性アンプルの本数を増やしたり、減らしたりしてもよい。
【００８４】
さらに、内容物は、易破壊性アンプルだけに限らず、該アンプル外の筒体内に収容・充填してもよく、それは気体、液体、固体の何れであってもよい。
筒体４１の長軸方向において、付け番４１ａ、４１ｂをそれぞれ押圧側、吐出側とした場合、プランジャー部４５を押圧側４１ａから吐出側４１ｂへ押圧すること（押圧操作）により、易破壊性アンプルよりも押圧側４１ａに位置するガスケット部４２ａは、筒体内において、長軸方向に（押圧側４１ａから吐出側４１ｂへ）液密的または気密的に摺動できる。
【００８５】
筒体４１は、可撓性材料から構成されているために、後述する筒部の折り曲げ操作においても、筒部４１が破割することない。このような筒体の材質である可撓性材料としては、ポリプロピレン等が挙げられる。
【００８６】
また、ガスケット部の材質は、筒体内で、液密的または気密的な状態で筒体内を摺動および停止することができる材質である限り、特に限定されない。例えば、このような材質としては、天然ゴム、合成ゴム、天然ゴムと合成ゴムとの混合ゴム、テフロン（登録商標）、シリコーンゴム等が挙げられる。
【００８７】
図４には、ガスケット部の押圧側の面および吐出側の面の形状が略平面であるが、凹面または凸面であっても良い。
なお、図４に示されるプレフィルドシリンジ（２）４０においては、吐出口４６が留め金４７にて締結されているが、留め金を介さずに吐出口と筒体とが直接係合されても良いし、筒体と吐出口とが一体成形されていても良い。
【００８８】
また、図４に示されるガスケット部４２ａと押圧手段としてのプランジャー部４５とが連結されており、このように構成されていることが好ましいが、特に限定されるものではない。例えば、プランジャー部がガスケット部に連結されておらず、単に接しているだけの構造であってもよい。また、押圧操作は、通常、手動によるプランジャー部の押圧による操作であるが、その代りに、流体圧や電磁気的手段を用いた操作であってもよい。
【００８９】
吐出口の形状は、押圧操作によって、筒体内部の内容物を筒体外部に吐出できる形状であれば特に限定されなく、使用目的・用途に応じて適宜変更できる。例えば、吐出口の断面の形状としては、ほぼ円形が好ましいが、幅広であってもよいし、内容物の混合攪拌をさらに促すために、吐出口において、内壁に凹凸形状物を設けてもよいし、迷路状の経路を形成してもよい。
【００９０】
なお、図４に示すように、易破壊性アンプルの破割片が吐出することを防ぐためのフィルター４２ｂが、吐出口の筒体内部側（押圧部側）に設置されていることが好ましい。このフィルターとしては、易破壊性アンプルの破割片が吐出することを阻止できる限り特に限定されるものではないが、例えば、ガラスフィルター、脱脂綿などを硬く押し固めたものなどが好適である。該フィルターを有することで、後述する折り曲げ操作により生じる易破壊性アンプルの破砕片が筒体外に吐出することを防ぐことができる。
【００９１】
また、このようなフィルターは、図５（Ａ）の付け番５２ｂに示すように、筒体内にて、易破壊性アンプルよりも吐出口側に設置されていてもよい。図５Ａに示されるプレフィルドシリンジ（２）では、フィルター５２ｂと、最吐出側において、最吐出側壁面４６´と内容物を吐出するための吐出口４６とを有する吐出部４６´´とから画定される空間５８に固体の内容物５８ａが含まれている。
【００９２】
また、図５（Ｂ）の付け番５２ｂ´に示すように、易破壊性アンプルの破割片が吐出することを防ぐためのフィルターが、易破壊性アンプルを被覆していてもよい。図５（Ｂ）においては、このフィルター５２ｂ´は、接着剤や固定部材等により筒部内面に固定されていないが、これらにより押圧側に仮止めされていてもよい。
【００９３】
図５（Ａ）〜（Ｂ）で示されるようなフィルターを有する構成にすることにより、易破壊性アンプル内や筒体内に含まれる他の流動性内容物に不溶または難溶であるためにフィルターの通過が困難な内容物であっても、フィルターに目詰まり等の不具合を起こすことなく、内容物を吐出することができる。
【００９４】
なお、図５（Ｂ）に示すように、易破壊性アンプルとそれを被覆するフィルター外の筒体内部５８´に粉体などの固体の内容物５８ａ´を収納しておいてもよい。さらに、易破壊性アンプルとそれを被覆するフィルター外の筒体内部５８´には、粉体などの固体の内容物以外の液体および／または気体の内容物を収容・充填してもよい。
【００９５】
この場合、筒体内部と筒体外部との接触を防ぎ、液体および／または気体の内容物の漏出を防ぐために、封止手段により吐出口を封止していることが好ましい。例えば、図４に示されるように、吐出部の吐出側の先端部分には、漏洩を防止するためのキャップ４２ｃを設置してもよい。当該キャップは、吐出部に嵌合や螺結されるものであってもよいし、蝶番またはその代替形態にて係合された跳ね上げ式蓋や、リボルバー式に開口部と閉口部を選択でき、開閉自在である留め金部であってもよい。
【００９６】
また、本発明のプレフィルドシリンジ（２）は、図４にて例示されるように、筒部４１の内部空間４３には、折り曲げ操作によって破割され得る易破壊性アンプル４３ａ、４３ｂが収納されている。
【００９７】
図４（Ｂ）の付け番４１´は、図４（Ａ）の筒体４１を、例えば人力にて折り曲げた際（折り曲げ操作時）の筒体を示している。さらに、図４（Ｃ）の付け番４３ａ´、４３ｂ´は、それぞれ、折り曲げ操作によって、破割された易破壊性アンプル４３ａ、４３ｂを示している。図４（Ｂ）〜（Ｃ）に示されるように、このプレフィルドシリンジ（２）を折り曲げる操作（折り曲げ操作）を実施しても、筒体４１は、可撓性材料で構成されているために、破れたり割れたりしない。一方、破割可能な材質で構成されているために、図４（Ｃ）に示されるように易破壊性アンプル４３ａ、４３ｂは破割され、該アンプルに含まれる内容物４３ａｂが筒体内部に漏出する。
【００９８】
易破壊性アンプルの材質は、上記のように破割可能な材質である限り特に限定されないが、例えば、ガラスが挙げられる。特に好ましい可撓性材料としては、硼珪酸ガラスなどの破割性ガラスが挙げられる。
【００９９】
さらに、易破壊性アンプル４３ａ、４３ｂから漏出された内容物４３ａｂは、筒体内部で適宜混合され、プランジャー部４５の押圧操作により、ガスケット部４２ａが押圧側４１ａから吐出側４１ｂに移動し、吐出口４６を介して、筒体外部へ吐出される。
【０１００】
本発明のプレフィルドシリンジ（２）に含まれる内容物としては、後述する［プレフィルドシリンジに適用される内容物］にて具体的に例示する。
内容物を収容するシリンジを複数備えたプレフィルドシリンジは、従来から知られているが、その構造・機構（例えば、複数のシリンジを並列状態で配している構成など）が複雑であり、このプレフィルドシリンジを製造するにあたっては、複雑な成形を要する。それに対して、上述したように、本発明のプレフィルドシリンジ（２）は、従来のプレフィルドシリンジとは異なった構造・機構を有することで、以下のような効果を発揮することができる。
【０１０１】
（１）保存時においては、複数の内容物が混じる合うことなく、安全且つ確実に、各内容物を個別に収納・保存できる。
（２）使用時においては、シリンジから各内容物を取り出す必要無く、シリンジ内で各内容物を十分に混合でき、さらに、内容物を良好な信頼性とともに簡便かつ円滑に吐出できる。
【０１０２】
［プレフィルドシリンジ（３）］
本発明のプレフィルドシリンジ（３）は、図６の付け番６００で示されるような内筒部（Ｂ）６１０内の空間部が２つ有する態様と、図７の付け番７００で示されるような内筒部（Ｂ）６１０内の空間部が３つ以上である態様を有する態様とに大別される。
【０１０３】
後述するように、両プレフィルドシリンジ（３）は、内筒部（Ｂ）のガスケット部および空間部において構成上の相違があり、その他の部材・構成については共通している。以下、図６〜７を用いて、本発明のプレフィルドシリンジ（３）について具体的に説明する。
【０１０４】
図６〜７の付け番６００、７００は本発明の複合型プレフィルドシリンジ（プレフィルドシリンジ（３））を示す。付け番６２０は、プレフィルドシリンジ（３）を構成する外筒部（Ａ）を、付け番６１０は、内筒部（Ｂ）をそれぞれ示す。
【０１０５】
図６〜７に示されるように、外筒部（Ａ）６２０は、以下の（Ａ１）〜（Ａ４）を有している。
（Ａ１）最吐出側に位置する最吐出側壁面（ａ）６２６ｂと内容物を吐出するための吐出口（ａ）６２６ａとを有する吐出部（ａ）６２６を備えた筒体（ａ）６２１
（Ａ２）筒体（ａ）６２１内で、吐出部（ａ）６２６の押圧側に位置する押圧側ガスケット部（ａ）６２２ａ
（Ａ３）  筒体（ａ）６２１内で、押圧側ガスケット部（ａ）６２２ａと前記吐出部（ａ）６２６とで画定される空間部（ａ）６２３
（Ａ４）  空間部（ａ）６２３に含まれる内容物（ａ）６２３´
筒体（ａ）６２１は、長軸方向に、付け番６２１ａを押圧側、付け番６２１ｂを吐出側とした場合、吐出側６２１ｂの最吐出側において、最吐出側壁面６２６ｂと内容物を吐出するための吐出口６２６ａとを有する吐出部６２６を備えている。
【０１０６】
吐出部（ａ）の吐出口の形状は、特に限定されるものではなく、使用目的・用途に応じて適宜変更できる。例えば、吐出口の断面の形状としては、略円形が好ましいが、幅広であっても良いし、吐出口内に内容物の混合攪拌を更に促すために、吐出口において、その内壁に凹凸形状物を設けても良いし、迷路状の経路を形成しても良い。
【０１０７】
図６〜７の付け番６２２ａは、押圧側ガスケット部（ａ）を示し、付け番６２３は、吐出部（ａ）６２６と押圧側ガスケット部（ａ）６２２ａとで画定される空間部（ａ）を示している。
【０１０８】
また、図６〜７で示されるように、外筒部（Ａ）６２０の外部からの微生物や塵埃等の異物の混入や内容物の漏出を防ぐために、使用前（押圧操作前）において、吐出部（ａ）６２６の吐出口６２６ａには、キャップ６２２ｂが設置されていることが好ましい。
【０１０９】
また、付け番６２３´は、空間部（ａ）６２３に含まれる内容物（ａ）を示す。かかる内容物（ａ）としては、特に限定されないが、粉末等の固体の内容物であることが好ましい。また、内容物（ａ）の種類も特に限定されないが、具体的には、［プレフィルドシリンジに適用される内容物］の項にて詳細に説明する。
【０１１０】
図６〜７に示されるように、筒体（ａ）６２１内に、吐出部（ａ）６２６に向かって、押圧側ガスケット部（ａ）６２２ａ、内筒部（Ｂ）６１０が順に挿嵌され、かつ吐出部（ｂ）６１６が押圧側ガスケット部（ａ）６２２ａを貫通している。
【０１１１】
図６に示されるプレフィルドシリンジ（３）６００の内筒部（Ｂ）６１０は、以下の（Ｂ１）〜（Ｂ７）を有している。この内筒部（Ｂ）６１０は、空間部として、押圧側空間部（ｂ）６１３と吐出側空間部（ｂ）６１３´とを有する。
【０１１２】
（Ｂ１）  最吐出側に位置する最吐出側壁面（ｂ）６１６ｂと内容物を吐出するための吐出口（ｂ）６１６ａとを有する吐出部（ｂ）６１６を備えた筒体（ｂ）６１１
（Ｂ２）  筒体（ｂ）６１１に挿嵌されたプランジャー部（ｂ）６１５
（Ｂ３）  筒体（ｂ）６１１内で、プランジャー部（ｂ）６１５よりも吐出側に位置する押圧側ガスケット部（ｂ）６１２ａ
（Ｂ４）  筒体（ｂ）６１１内で、押圧側ガスケット部６１２ａと吐出部６１６との間に位置する吐出側ガスケット部（ｂ）６１２ｃ
（Ｂ５）  筒体（ｂ）６１１内で、押圧側ガスケット部（ｂ）６１２ａと吐出側ガスケット部（ｂ）６１２ｃとで画定される押圧側空間部（ｂ）６１３
（Ｂ６）  筒体（ｂ）６１１内で、吐出側ガスケット部（ｂ）６１２ｃと吐出部（ｂ）６１６とで画定される吐出側空間部（ｂ）６１３´
（Ｂ７）  押圧側空間部（ｂ）６１３に含まれる内容物（ｂ）
また、図７に示されるプレフィルドシリンジ（３）７００の内筒部（Ｂ）６１０は、以下の（Ｂ１）〜（Ｂ９）を有している。このプレフィルドシリンジ（３）７００の内筒部（Ｂ）６１０は、空間部として、押圧側空間部（ｂ）７１３ａと吐出側空間部（ｂ）７１３´と中間空間部（ｂ）７１３ｂを有する。
【０１１３】
（Ｂ１）  最吐出側に位置する最吐出側壁面（ｂ）６１６ｂと内容物を吐出するための吐出口（ｂ）６１６ａとを有する吐出部（ａ）６１６を備えた筒体（ａ）６１１
（Ｂ２）  筒体（ｂ）６１１に挿嵌されたプランジャー部（ｂ）６１５
（Ｂ３）  筒体（ｂ）６１１内で、プランジャー部（ｂ）６１５よりも吐出側に位置する押圧側ガスケット部（ｂ）７１２ａ
（Ｂ４）  筒体（ｂ）６１１内で、押圧側ガスケット部７１２ａと吐出部６１６との間に位置する吐出側ガスケット部（ｂ）７１２ｃ
（Ｂ５）  筒体（ｂ）６１１内で、押圧側ガスケット部（ｂ）７１２ａと吐出側ガスケット部（ｂ）７１２ｃとの間に位置する中間ガスケット部（ｂ）７１２ｂ
（Ｂ６）  筒体（ｂ）６１１内で、押圧側ガスケット部（ｂ）７１２ａと中間ガスケット部（ｂ）７１２ｂとで画定される押圧側空間部（ｂ）７１３ａ
（Ｂ７）  筒体（ｂ）６１１内で、吐出側ガスケット部（ｂ）７１２ｃと吐出部（ｂ）６１６とで画定される吐出側空間部（ｂ）７１３´
（Ｂ８）  筒体（ｂ）６１１内で、吐出側ガスケット部（ｂ）７１２ｃと中間ガスケット部（ｂ）７１２ｂとで画定される中間空間部（ｂ）７１３ｂ
（Ｂ９）  押圧側空間部（ｂ）７１３ａおよび／または中間空間部（ｂ）７１３ｂに含まれる内容物（ｂ）
【０１１４】
図６〜７に示されるプレフィルドシリンジ（３）を構成する筒体（ｂ）６１１は、長軸方向に、付け番６１１ａを押圧側、付け番６１１ｂを吐出側とした場合、吐出側６１１ｂにおいて、内容物を内筒体（Ｂ）６１０内部から空間部（ａ）６２３へ吐出するための吐出部（ｂ）６１６を備えている。吐出部（ｂ）の吐出口の形状は、上述の吐出部（ａ）と同様に、使用目的・用途に応じて適宜変更でき、例えば、吐出口の断面の形状として、略円形、幅広形状が挙げられ、吐出口の内壁に凹凸形状物を設けても良いし、吐出口に迷路状の経路を形成しても良い。
【０１１５】
また、図６〜７で例示されるプレフィルドシリンジ（３）は、筒体（ｂ）６１１に挿嵌されたプランジャー部（ｂ）６１５を有している。
図６、７で例示されたプランジャー部６１５は、それぞれ、後述する押圧側ガスケット部６１２ａ、７１２ａと連結している。プランジャー部としては、このような構成を有するものが好ましいが、これに限定されるものではない。
【０１１６】
例えば、プランジャー部は、押圧側ガスケット部とプランジャー部とが連結されておらず、単に接しているだけの構造であってもよい。
また、押圧操作は、通常、手動によるプランジャー部の押圧による操作であるが、その代りに、流体圧や電磁気的手段を用いた操作であってもよい。
【０１１７】
図６で示されるプレフィルドシリンジは、内筒部（Ｂ）６１０に２つの空間部（押圧側空間部、吐出側空間部）を有していることを特徴としている。図６の付け番６１２ａ、６１２ｃは、それぞれ、筒体（ｂ）６１１の押圧側６１１ａに位置する押圧側ガスケット部（ｂ）、吐出側６１１ｂに位置する吐出側ガスケット部（ｂ）を示している。また、付け番６１３は、筒体内で押圧側ガスケット部（ｂ）６１２ａと吐出側ガスケット部（ｂ）６１２ｃで画定された押圧側空間部（ｂ）を示している。
【０１１８】
また、付け番６１３´は、筒体内で吐出側ガスケット部（ｂ）６１２ｃと吐出部（ｂ）６１６で画定された吐出側空間部（ｂ）を示している。押圧側空間部（ｂ）６１３には、内容物（ｂ）が含まれる。
【０１１９】
図６に示されるプレフィルドシリンジ（３）６００には、吐出側空間部（ｂ）６１３´において、押圧側空間部（ｂ）６１３と吐出側空間部（ｂ）６１３´とを導通可能にするためのバイパス部（ｂ2）が形成されている（付け番６１４ｂ）。
【０１２０】
図６に示されるプレフィルドシリンジ（３）において、プランジャー部６１５の押圧操作がなされると、押圧側ガスケット部６１２ａ、吐出側ガスケット部６１２ｃが、筒体内の吐出側へ移動する。そして、吐出側ガスケット部６１２ｃの押圧側の面Ｓ1´が、バイパス部（ｂ2）６１４ｂの押圧側端部Ｓ2´を通過したときに、前記バイパス部（ｂ2）６１４ｂを介して押圧側空間部（ｂ）６１３と吐出側空間部（ｂ）６１３´とが導通状態となる。すなわち、押圧側空間部（ｂ）６１３から吐出側空間部（ｂ）６１３´へ内容物（ｂ）が流入する。
【０１２１】
このとき、内容物（流体）はバイパス部（ｂ2）６１４ｂに迂回して吐出側空間部（ｂ）６１３´へ移動するので、吐出側ガスケット部（ｂ）６１２ｃは、停止している。また、吐出側ガスケット部（ｂ）６１２ｃは、押圧側ガスケット部（ｂ）６１２ａと接触すると、再び吐出側に移動する。
【０１２２】
吐出側空間部（ｂ）６１３´に流入した内容物（ｂ）は、吐出部（ｂ）６１６を介して空間部（ａ）６２３に流入する。そして、当該内容物（ｂ）とともに内容物（ａ）６２３´が、吐出部（ａ）６２６を介して外筒部（Ａ）６２０の外部へ吐出される。
【０１２３】
図７に示されるプレフィルドシリンジ（３）は、内筒部（Ｂ）に少なくとも３つの空間部（押圧側空間部、吐出側空間部および複数の中間空間部）を有していることを特徴としている。
【０１２４】
付け番７１２ａ、７１２ｃ、７１２ｂは、それぞれ、筒体（ｂ）６１１の押圧側６１１ａに位置する押圧側ガスケット部（ｂ）、吐出側に位置する吐出側ガスケット部（ｂ）、押圧側ガスケット部（ｂ）と吐出側ガスケット部（ｂ）との間に位置する中間ガスケット部（ｂ）を示している。
【０１２５】
付け番７１３ａは、筒体（ｂ）内で押圧側ガスケット部（ｂ）７１２ａと中間ガスケット部（ｂ）７１２ｂで画定された押圧側空間部を示している。付け番７１３´は、筒体内で吐出側ガスケット部（ｂ）７１２ｃと吐出部（ｂ）６１６で画定された吐出側空間部（ｂ）を示している。さらに、付け番７１３ｂは、中間ガスケット部（ｂ）７１２ｂと吐出側ガスケット部（ｂ）７１２ｃとで画定される中間空間部（ｂ）を示している。
【０１２６】
図７に示されるようなプレフィルドシリンジ（３）には、少なくとも１つの中間空間部（ｂ）において、押圧側空間部（ｂ）と中間空間部（ｂ）とを導通可能にするためのバイパス部（ｂ1）が形成されている（図７の付け番６１４ａ）。また、上記プレフィルドシリンジ（３）には、吐出側空間部（ｂ）において、中間空間部（ｂ）と吐出側空間部（ｂ）とを導通可能にするためのバイパス部（ｂ2）が形成されている（図７の付け番６１４ｂ）。
【０１２７】
図７に示されるプレフィルドシリンジ（３）７００において、プランジャー部６１５の押圧操作がなされると、押圧側ガスケット部（ｂ）７１２ａ、中間ガスケット部（ｂ）７１２ｂが、筒体内の吐出側へ移動する。そして、中間ガスケット部（ｂ）７１２ｂの押圧側の面（図７中ではＳ1で示す。）が、バイパス部（ｂ1）の押圧側端部Ｓ2を通過したときに、バイパス部（ｂ1）６１４ａを介して押圧側空間部（ｂ）７１３ａと中間空間部７１３ｂとが導通状態となる。すなわち、押圧側空間部（ｂ）７１３ａから中間空間部（ｂ）７１３ｂへ内容物（ｂ）が流入する。なお、内容物（流体）はバイパス部（ｂ1）６１４ａに迂回して中間空間部（ｂ）７１３ｂへ移動するので、中間ガスケット部（ｂ）７１２ｂは、停止している。
【０１２８】
さらに、吐出側ガスケット部７１２ｃの押圧側の面Ｓ1´が、バイパス部（ｂ2）６１４ｂの押圧側端部Ｓ2´を通過したときに、前記バイパス部（ｂ2）６１４ｂを介して中間空間部７１３ｂと吐出側空間部７１３´とが導通状態となる。そのため、中間空間部（ｂ）７１３ｂに流入した内容物（ｂ）は、前記バイパス部（ｂ2）６１４ｂを介して中間空間部（ｂ）７１３ｂから吐出側空間部（ｂ）７１３´へ流入する。そして、当該内容物（ｂ）が吐出側空間部（ｂ）７１３´から空間部（ａ）６２３へ流入する。さらに、内容物（ｂ）とともに内容物（ａ）６２３´が、吐出部（ａ）６２６を介して外筒部（Ａ）６２０外部へ吐出される。
【０１２９】
また、図７に示されるようなプレフィルドシリンジ（３）は、一つの中間空間部を有しているが、プレフィルドシリンジ（３）は、複数の中間空間部（ｂ）を有し、当該複数の中間空間部（ｂ）のうち、少なくとも１つの空間部に、吐出側の中間空間部（ｂ）と押圧側の中間空間部（ｂ）とを導通可能にするためのバイパス部（ｂ3）が形成されていてもよい。このような構成を有する場合、プランジャー部の押圧操作により、吐出側の中間空間部（ｂ）の押圧側に位置する中間ガスケット部（ｂ）が、吐出側に移動し、当該中間ガスケット部の押圧側の面が、前記中間空間部のバイパス部（ｂ3）の押圧側端部を通過したときに、当該バイパス部（ｂ3）を介して、吐出側の中間空間部（ｂ）と押圧側の中間空間部（ｂ）とを導通状態となる。
【０１３０】
なお、図６〜７に示されるプレフィルドシリンジ（３）において、筒体（ａ）６２１および筒体（ｂ）６１１の内面は、各ガスケット部（図６：吐出側ガスケット部（ａ）、吐出側ガスケット部（ｂ）、押圧側ガスケット部（ｂ）、図７：吐出側ガスケット部（ａ）、吐出側ガスケット部（ｂ）、押圧側ガスケット部（ｂ）、中間ガスケット部（ｂ））が密閉状態（液密状態／気密状態）を保持したまま滑らかに摺動できるようになっている。すなわち、筒体（ａ）６２１および筒体（ｂ）６１１の内面は、長軸方向に平行で凹凸のない形状を有するものが好適であり、材質としては、特に限定されるものではなく、例えば、ガラス、テフロン（登録商標）、ポリプロピレン等が挙げられる。
【０１３１】
図６〜７に示されるプレフィルドシリンジ（３）において、各ガスケット部の材質は、筒体（ａ）６１１または筒体（ｂ）６２１内で、液密的または気密的な状態で筒体内を摺動および停止することができる材質である限り、特に限定されない。例えば、このような材質としては、天然ゴム、合成ゴム、天然ゴムと合成ゴムとの混合ゴム、テフロン（登録商標）、シリコーンゴム等が挙げられる。
【０１３２】
ガスケット部の形状としては、複数のリング状凸部を有する略円筒乃至は略円盤状のプラグまたはピストンなどの形状であることが好ましい。このような形状にすることにより、ガスケット部の摺動の際に摩擦力が低減されるとともに、ガスケット部が筒体内壁に密着する部分が分割されるために、空間部において、液密的または気密的な状態を安定的に保持することができる。
【０１３３】
図６〜７に示される各ガスケット部においては、押圧側の面および／または吐出側の面の形状として略平面が例示されているが、ガスケット部の押圧側の面および／または吐出側の面の形状は、凹面または凸面であっても良い。
【０１３４】
図６〜７に示されるプレフィルドシリンジ（３）において、吐出部（ａ）６２６の吐出口（ａ）６２６ａ、吐出部（ｂ）６１６の吐出口（ｂ）６１６ａがそれぞれ、留め金６２７、６１７にて締結されているが、留め金を介さずに吐出部と筒体とが直接係合されても良いし、筒体と吐出部とが一体成形されていても良い。前者の場合、図６〜７の付け番６２６ｂに示されるように、留め金の押圧側の面が最吐出側壁面となる。
【０１３５】
また、図６〜７に示されるプレフィルドシリンジ（３）における内容物（ａ）〜（ｂ）の種類については、特に限定されるものではなく、具体的には、後述する［プレフィルドシリンジに適用される内容物］の項にて詳述する。
【０１３６】
なお、図７に示されるプレフィルドシリンジ（３）において、押圧側空間部（ｂ）７１３ａおよび中間空間部（ｂ）７１３ｂの両方とも内容物（ｂ）を含む場合、それぞれの空間部に含まれる内容物は同一でもよいし、異なっていてもよい。
【０１３７】
図６〜７に示されるプレフィルドシリンジ（３）における各バイパス部の形状は、特に限定されないが、プレフィルドシリンジ（３）のバイパス部は、上述のように押圧操作によるガスケット部の移動により、空間部の間を導通可能にできる限り、特に限定されない。例えば、筒体壁内または筒体外に形成された管状構造や、筒体内壁に形成された溝などが挙げられる。この中でも、構造が単純で、作成し易く障害が発生し難いという点で、バイパス部は、溝形状であることが好ましい。
【０１３８】
また、形成し易いという点で、図３（Ａ）の付け番３４で示されるように、バイパス部が、筒体外周３１に向かって、溝の幅３４´が漸次減少している形状を有することが好ましい。なお、図３（Ｂ）の付け番３４ａ、３４ｂで示されるように、バイパス部として、複数の溝を設けても良い。溝の幅３４´は、内容物の導通に差し支えがないほど大きく、かつガスケット部の移動に支障を生じない程度に小さいものであれば、特に限定されるものではない。また、溝の深さ３４´´は、内容物の導通に差し支えがない程度に深く形成されていればよい。
【０１３９】
例えば、筒体の長軸方向に垂直な面内において、任意の方向からの平行光線による射影の幅において比較すると、筒体内面の幅の方が溝の幅よりも大きいことが挙げられ、筒部内面の内周３１´に沿って計測して、好ましくは０．２〜１０ｍｍであり、より好ましくは０．５〜６ｍｍ、更に好ましくは１〜４ｍｍである。
【０１４０】
筒体のバイパス部が形成されている部分を、長軸方向に対して垂直に断面した際の面積が最大である場合、このバイパス部の面積（バイパス部の最大断面積）に対する溝幅の比（バイパス部の最大断面積／溝幅）は、好ましくは０．０１〜２ｍｍ、より好ましくは０．０５〜１ｍｍ、更に好ましくは０．１〜０．５ｍｍである。なお、上記比（バイパス部の最大断面積／溝幅）は、バイパス部としての溝が最大断面積を有する場合での、平均的な溝深さを示す値と同一である。
【０１４１】
バイパス部としての溝は、筒体内面に切削器具を差し込んで、切削して形成されてもよいし、溝の長さと幅のサイズに筒部を切り取った後に溝深さ分だけ浅い部材を嵌め込み、それらを接合して形成されてもよい。あるいは分割式の入れ子を用いて射出成形を用いて溝を形成してもよい。または、溝を設ける部分を加熱軟化させた状態にて、筒内部にガス圧かけたり、当該部分に型を押しつけたりすることにより、外部に膨らませて、溝を形成してもよい。
【０１４２】
また、管状構造や溝等のバイパス部が、ポリマーや接着材等を用いて形成し手なる場合、当該バイパス部が形成された空間部に含まれる内容物が、上記ポリマーや接着材等と接触することで、内容物とポリマーや接着材等とが反応したり、特性が変化したりするなどの問題が生じる場合がある。この場合、このような内容物を、図６〜７の押圧側空間（ｂ）６１３、７１３ａまたは空間部（ａ）６２３のような空間部内にバイパス部が形成されていない空間部に収納すれば、上記の問題を回避できる。
【０１４３】
また、前記バイパス部（ｂ1）および／またはバイパス部（ｂ2）の長軸方向における長さ（図６〜７：Ｌ1、Ｌ1´）が、当該バイパス部が形成されている空間部の長軸方向における長さ（図６〜７：Ｌ2、Ｌ2´）がよりも短く、前記バイパス部の押圧側に位置するガスケット部の長軸方向における厚さ（図６〜７：Ｌ3、Ｌ3´）よりも長いことが好ましい。
【０１４４】
また、バイパス部の押圧側に位置する各ガスケット部の長軸方向における厚さの合計（図６：Ｌ3＋Ｌ4、図７：Ｌ3＋Ｌ4またはＬ3＋Ｌ3´＋Ｌ4）または、これのうち、１つのガスケット部の長軸方向における厚さ（図６：Ｌ3、Ｌ4、７：Ｌ3、Ｌ3´、Ｌ4）よりも、前記バイパス部の長軸方向における長さ（図６〜７：Ｌ1、Ｌ1´）が、小さいことが好ましい。このように構成することで、吐出側に位置する空間部から、押圧側に位置する空間部へ内容物が逆流することを防止できる。
【０１４５】
なお、空間部同士が導通状態になっていない場合、内容物が筒体外部に曝されておらず、吐出することもない。そのために、中間空間部において、内容物を自由に攪拌操作することが出来る。攪拌操作は、例えば、手で振って筒体を震蕩させても良いし、超音波振動装置で振動を加えても良い。あるいは、押圧操作とは逆の操作（プランジャー部を吐出側から押圧側に引き戻す操作）により、吐出側に位置する空間部から押圧側に位置する空間部に内容物を一回以上逆流させて、内容物の攪拌を促すことができる。
【０１４６】
このように、本発明のプレフィルドシリンジ（３）は、バイパス部を有することで、内容物の混合の際に、ガス抜きや内容物漏洩防止のために吐出部の閉開操作をする煩わしさがなく、混合物の攪拌操作も安全に行うことができる。
【０１４７】
なお、内容物が収容・充填される空間部の容積は、それぞれ収納・充填される内容物の種類や量に応じて設定されるが、該内容物の量よりも大きめに設定し、内容物を空間部に収納・充填後に該空間部の余った空間には、窒素ガスやアルゴンガス等の不活性ガスや、内容物に対して反応性が低いガス（低反応性ガス）や液体（低反応性液体）を封入して置いても良い。
【０１４８】
筒体内に含まれる内容物を筒体外部に暴露されることを確実に防ぐために、図６で示されるような中間空間部（ｂ）を有していないプレフィルドシリンジ（３）において、押圧側空間部（ｂ）に、内容物として低活性物質または不活性物質が含まれ、かつ吐出側空間部（ｂ）に、内容物として活性物質が含まれることが好ましい。
【０１４９】
内容物同士の隔離をより確実なものとするために、図７で示されるような複数の中間空間部（ｂ）を有するプレフィルドシリンジ（３）において、複数の中間空間部のうち、少なくとも１つの空間部に、内容物として低活性物質または不活性物質が含まれ、かつ当該低活性物質または不活性物質を含む中間空間部の両側に位置する中間空間部または押圧側空間部に、内容物として活性物質が含まれることが好ましい。
【０１５０】
空間部（ａ）に含まれる内容物（ａ）としては、好ましくは、粉末等の固体の内容物であり、より好ましくは、内容物（ｂ）に対して不溶または難溶である粉体である。
また、図８に示すようなプレフィルドシリンジ（３）８００には、空間部（ａ）が、下記（Ａ５）〜（Ａ７）を有し、内容物（ａ）８２３´が、押圧側空間部（ａ）８２３ａに含まれ、押圧側空間部（ａ）８２３ａと吐出部側空間部（ａ）８２３ｂとを導通可能にするためのバイパス部（ａ）８１４ｂが形成されていてもよい。このような構成を有する場合、プランジャー部６１５の押圧操作により、内筒部６１０から内容物（ａ）が、押圧側空間部（ａ）８２３ａに流入する。さらに、吐出側ガスケット部（ａ）８２２ｃが吐出側に移動し、当該吐出側ガスケット部（ａ）８２２ａの押圧側の面Ｓ1´´が前記バイパス部（ａ）８１４ｂの押圧側端部Ｓ2´´を通過したときに、押圧側空間部（ａ）８２３ａと吐出側空間部（ａ）８２３ｂとが、前記バイパス部（ａ）８１４ｂを介して導通状態となることが可能なように形成されている。
【０１５１】
（Ａ５）  筒体（ａ）６２１内で、押圧側ガスケット部（ａ）６２２ａと吐出部（ａ）６２６との間に位置する吐出側ガスケット部（ａ）８２２ｃ
（Ａ６）  筒体（ａ）６２１内で、押圧側ガスケット部（ａ）６２２ａと吐出側ガスケット部（ａ）８２２ｃとで画定される押圧側空間部（ａ）８２３ａ
（Ａ７）  筒体（ａ）６２１内で、吐出側ガスケット部（ａ）８２２ｃと吐出部（ａ）６２６とで画定される吐出部側空間部（ａ）８２３ｂ
さらに、本発明のプレフィルドシリンジ（３）は、空間部（ａ）の内容物に筒体部（Ａ）の外部からの異物が混入することを防ぐために、吐出部（ａ）６２６の吐出口（ａ）６２６ａに、リボルバー式切換チャネル、逆止弁、フィルター等を有していても良い。
【０１５２】
また、図６〜７において、外筒部（Ａ）６２０の内容物の外部への吐出を防ぐために、図４、５に図示したプレフィルドシリンジ（２）と同様のキャップが吐出部（ａ）の吐出口（ａ）に装着されているが、特にこれに限定すべき必要はない。例えば、図８で示されるように、内筒体（Ｂ）に含まれるバイパス部、ガスケット部と同様のバイパス部８１４ｂ、吐出側ガスケット部（ａ）８２２ｃを利用する機構を用いても良い。
【０１５３】
ただし、その場合、混合するための押圧過程において、予期しないタイミングにて、外筒体側のガスケット部が動いて、十分混合されていない内容物が外界に吐出される恐れがある。それを防止するためには、外筒体側のガスケット部の可動抵抗を他のガスケット部よりも十分大きくしておくなど、何らかのストッパー機能を設けておくことが好ましい。
【０１５４】
なお、内筒体側の押圧過程にかかわらず、内筒体自体を押し引きすることにより、外筒体の空間部（ａ）６２３の容積は、自由に調整可能である。従って、外筒体の空間部（ａ）６２３は、筒体（Ａ）のように、押圧過程に見合った空の容積を備える必要がない。
【０１５５】
また、吐出部（ａ）６２６が、図６〜７で示される態様よりも更に太く、殆ど内筒体６１０の内径程度の大きさであってもよい。この場合、内筒体６１０の吐出側空間部６１３´と外筒体６２１の吐出側空間部６２３との区別が殆ど無く、両空間に渡って外筒体側の内容物が保持されているような態様であっても良い。
【０１５６】
さらに、図６にて図示した例では、内筒体（Ｂ）として、図１にて図示したプレフィルドシリンジ（１）と同様の構成の筒体を用いているが、これに限定されるものではない。
例えば、内筒部（Ｂ）として、図４で例示されるプレフィルドシリンジ（２）を採用しても良い。また、プレフィルドシリンジ（３）そのものを内筒部（Ｂ）として、採用してもよい。この場合、全体として３つの筒部より構成される。
【０１５７】
内容物を収容するシリンジを複数備えたプレフィルドシリンジは、従来から知られているが、その構造・機構（例えば、複数のシリンジを並列状態で配している構成など）が複雑であり、このプレフィルドシリンジを製造するにあたっては、複雑な成形を要する。それに対して、上述したように、本発明のプレフィルドシリンジ（３）は、従来のプレフィルドシリンジとは異なった構造・機構を有することで、以下のような効果を発揮することができる。
【０１５８】
（１）保存時においては、複数の内容物が混じる合うことなく、安全且つ確実に、各内容物を個別に収納・保存できる。
（２）使用時においては、シリンジから各内容物を取り出す必要無く、シリンジ内で各内容物を十分に混合でき、さらに、内容物を良好な信頼性とともに簡便かつ円滑に吐出できる。
【０１５９】
［プレフィルドシリンジに適用される内容物］
本発明のプレフィルドシリンジまたは複合型プレフィルドシリンジの各空間部に含まれる内容物の種類やその組み合わせとしては、特に限定されるものではないが、保存中に長期間混合された状態に置かれることが好ましくなく、使用直前に混合することが要求される内容物の組み合わせが挙げられる。
【０１６０】
内容物の組み合わせの例としては、２種類以上を混合して使用される、歯科用または外科用などの医療用組成物、前記医療用として使用される、生体用接着材、硬化性組成物等の接着組成物が挙げられる。
【０１６１】
以下、歯科用または外科用などの医療用接着組成物として好適な組成物の組み合わせを説明する。
即ち、開始剤とそれを用いた接着組成物であって、生体組織とよい親和性を有し、生体組織の接着修復、例えば歯牙や骨組織の接着修復、軟組織創傷部の保護または外科処置時の接着固定などに好適である。
【０１６２】
そのような組成物としては、第１に、トリアルキルホウ素、アルコキシアルキルホウ素、ジアルキルボランおよび部分酸化トリアルキルホウ素よりなる群から選ばれる少なくとも１種の有機ホウ素化合物（Ａ）１００重量部、沸点５０℃〜１２０℃の非プロトン性溶媒（Ｂ）５〜４０重量部、および、沸点が６０℃〜１８０℃のアルコール（Ｃ）０．２〜５重量部を含有してなる重合開始剤組成物が例示される。第２に、重合性モノマー（ａ）３０〜１００重量部、（メタ）アクリレート重合体（ｂ）０〜７０重量部および上記重合開始剤組成物（ｃ）１〜２０重量部を含有してなりかつ重合性モノマー（ａ）と（メタ）アクリレート重合体（ｂ）の合計が１００重量部である歯科用接着剤組成物が例示される。この組成物によれば、発火に対する安全性、流動性および重合活性に優れた有機ホウ素系重合開始剤組成物が得られ、さらに、それを用いることにより安全性、操作性、接着性および経済性に優れた歯科用接着剤組成物が得られる。
【０１６３】
本組成物において使用される有機ホウ素化合物（Ａ）は、トリアルキルホウ素、アルコキシアルキルホウ素、ジアルキルボランおよび部分酸化トリアルキルホウ素よりなる群から選ばれる少なくとも１種の有機ホウ素化合物であり、これらは１種または２種以上一緒に使用することができる。
【０１６４】
トリアルキルホウ素としては、例えばトリエチルホウ素、トリプロピルホウ素、トリイソプロピルホウ素、トリブチルホウ素、トリ−ｓｅｃ−ブチルホウ素、トリイソブチルホウ素、トリペンチルホウ素、トリヘキシルホウ素、トリヘプチルホウ素、トリオクチルホウ素、トリシクロペンチルホウ素、トリシクロヘキシルホウ素など、炭素数２〜８の直鎖状、分枝状またはシクロ環状のアルキル基を有するものを挙げることができる。前記の通り、アルキル基が３つとも同一であるものでもよいし、２つだけが同じものや３つとも異なるものであってもよく、その場合には、例えば、前述のトリアルキルホウ素が有しているようなアルキル基を適宜に組み合わせて用いればよい。
【０１６５】
アルコキシアルキルホウ素としては、例えばブトキシジブチルホウ素などのようなモノアルコキシジアルキルホウ素を挙げることができる。この場合のようにアルコキシ基のアルキル部とアルキル基が同じである方が原料の入手が容易なので好ましいが、特に限定されるものではない。これ以外にも、ジアルコキシモノアルキルホウ素であってもよい。ジアルキルボランとしては、例えばジシクロヘキシルボラン、ジイソアミルボランのようにアルキル基が２つとも同一であるものでもよいし、場合によっては異なっていてもよい。また、９−ボラビシクロ［３．３．１］ノナンなどのように、ホウ素原子が単環状構造乃至はビシクロ構造の架橋を形成しているものを挙げることができる。
【０１６６】
部分酸化トリアルキルホウ素としては、例えば前記トリアルキルホウ素の部分酸化物などが例示できる。特に好ましくは、部分酸化トリブチルホウ素などを挙げることができる。部分酸化トリアルキルホウ素としては、トリアルキルホウ素１モルに対し好ましくは０．３〜０．９モル、より好ましくは０．４〜０．６モルの酸素を付加させたものが用いられる。
【０１６７】
これらの有機ホウ素化合物の中ではトリブチルホウ素あるいは部分酸化トリブチルホウ素を用いると特に好結果が得られる。最も好ましい有機ホウ素化合物は部分酸化トリブチルホウ素である。なお、前記の通り、アルキル基が３つとも同一であるものでもよいし、２つだけが同じものや３つとも異なるものであってもよい。
【０１６８】
非プロトン性溶媒（Ｂ）としては、好ましくは１気圧における沸点が５０℃〜１２０℃の溶媒が用いられる。より好ましい沸点は、６０℃〜９０℃の範囲にある。非プロトン性溶媒（Ｂ）としては、前記数値範囲の下限値を下回ると本重合開始剤を搬送・保存中に非プロトン性溶媒（Ｂ）が揮発・飛散してその配合比率が減少して発火抑制などの効果が低下して好ましくなく、前記数値範囲の上限値を上回ると、使用の際に揮発・飛散が不十分となり硬化組成物中に残存して、接着剤組成物の接着性能を低下させて好ましくない。
【０１６９】
非プロトン性溶媒（Ｂ）としては、有機ホウ素化合物（Ａ）と反応するようなヒドロキシ基、メルカプト基などに存在するような活性水素を持たず、有機ホウ素化合物（Ａ）と均一な溶液を形成しうる溶媒が好ましく用いられる。
【０１７０】
非プロトン性溶媒（Ｂ）の具体例としては、例えばペンタン、ヘキサン、シクロヘキサン、ヘプタン、ベンゼン、トルエンなどの炭化水素；フルオロベンゼン、ジクロロエタン、いわゆるフロンなどのハロゲン化炭化水素；ジエチルエーテル、ジイソプロピルエーテル、エチレングリコールジメチルエーテル、テトラヒドロフランなどのエーテル；アセトン、メチルエチルケトン、ジエチルケトンなどのケトン；酢酸メチル、酢酸エチル、酢酸イソプロピルなどのエステルなどが挙げられる。これらの中ではアルカン、エーテルおよびエステルが好ましく、とりわけヘキサン、ジイソプロピルエーテル、酢酸エチルが特に好ましい。これらの非プロトン性溶媒（Ｂ）は単独で使用しても、２種以上併用してもよい。
【０１７１】
本重合開始剤組成物における非プロトン性溶媒（Ｂ）の含有量は、有機ホウ素化合物（Ａ）１００重量部に対し、５〜４０重量部である必要があり、より好ましくは１０〜３０重量部、最も好ましくは１０〜２５重量部である。非プロトン性溶媒（Ｂ）の含有量が有機ホウ素化合物（Ａ）１００重量部に対して５重量部未満の場合には、十分な希釈効果が得られなく、発熱（発火）の抑制効果が得られない。また、非プロトン性溶媒（Ｂ）の含有量が有機ホウ素化合物（Ａ）１００重量部に対して４０重量部を越える場合には、重合開始剤組成物の重合能を低下させる傾向がある。
【０１７２】
本開始剤組成物におけるアルコール（Ｃ）は、驚くことに、特定少量の添加により、非プロトン性溶媒（Ｂ）との共存にて、重合活性を低下させることがなく発熱（発火）性を抑制することが可能である。アルコール（Ｃ）としては、１気圧における沸点が６０℃〜１８０℃のものが用いられる。好ましい沸点は、６０〜１２０℃の範囲にある。アルコール（Ｃ）としては、前記数値範囲の下限値を下回ると本重合開始剤を搬送・保存中にアルコール（Ｃ）が揮発・飛散してその配合比率が減少して発火抑制などの効果が低下して好ましくなく、前記数値範囲の上限値を上回ると、接着剤組成物の硬化時間が長くなり、接着性能を低下させて好ましくない。
【０１７３】
アルコール（Ｃ）の具体例としては、例えばメタノール、エタノール、ｎ−プロパノールまたはその異性体、ｎ−ブタノールまたはその異性体、ｎ−ペンタノールまたはその異性体、ｎ−ヘキサノールまたはその異性体、ｎ−ペプタノールまたはその異性体などが挙げられる。より好ましくは炭素数４以下のアルコールであり、これらの中では、とりわけエタノール、ｎ−プロパノールが特に好ましい。これらのアルコール（Ｃ）は単独で使用しても、２種以上併用してもよい。
【０１７４】
本重合開始剤組成物におけるアルコール（Ｃ）の含有量は、有機ホウ素化合物（Ａ）１００重量部に対し、０．２〜５重量部である必要があり、より好ましくは０．３〜４．５重量部、最も好ましくは０．５〜４重量部である。アルコール（Ｃ）の含有量が有機ホウ素化合物（Ａ）１００重量部に対して０．２重量部未満の場合には、十分な発熱（発火）の抑制効果が得られない。また、アルコール（Ｃ）の含有量が有機ホウ素化合物（Ａ）１００重量部に対して５重量部を越える場合には、重合開始剤組成物の重合能を低下させる傾向がある。
【０１７５】
さらに、上記重合開始剤組成物を用いた、歯科用接着剤組成物が提供される。
すなわち、本組成物によれば、さらに、（ａ）重合性モノマーが好ましくは３０〜１００重量部、より好ましくは４０〜８０重量部、（ｂ）（メタ）アクリレート重合体が０〜７０重量部、より好ましくは１０〜６０重量部および（ｃ）上記重合開始剤組成物が１〜２０重量部、より好ましくは３〜１５重量部を含有してなり、かつ、重合性モノマー（ａ）と（メタ）アクリレート重合体（ｂ）の合計が１００重量部である歯科用もしくは外科用接着剤組成物が提供される。上記（ａ）成分が前記数値範囲の下限値を下回ると組成物の操作性が低下することとなり好ましくない。また、上記（ｂ）成分が前記数値範囲の上限値を上回ると組成物の操作性が低下することとなり好ましくない。さらに、上記（ｃ）成分が前記数値範囲の下限値を下回ると接着組成物の硬化時間が長くなり好ましくなく、前記数値範囲の上限値を上回ると接着組成物の硬化時間が過度に短くなり、操作性が損なわれることとなり好ましくない。なお、「（メタ）アクリレート」とは、「アクリレートおよび／またはメタクリレート」の意味であり、他の場合（例えば「（メタ）アクリル酸メチル」ならば「アクリル酸メチルおよび／またはメタクリル酸メチル」の意）でも同様である。これは、当該技術分野において慣用的表現である。
【０１７６】
本接着剤組成物において、上記重合性モノマー（ａ）としては、公知の単官能モノマーもしくは多官能モノマーが何ら制限なく使用できる。（メタ）アクリレート系モノマーは、人体への刺激性が比較的低いため好ましく用いられる。また、分子内に酸性基を有する重合性モノマーは、特に歯質に対する高い接着力を与える成分として好ましい。それ故、（メタ）アクリレートと酸性基を有する重合性モノマーの組合せも好ましく用いられる。
【０１７７】
単官能性の（メタ）アクリレートとしては、例えば（メタ）アクリル酸メチル、（メタ）アクリル酸エチル、（メタ）アクリル酸プロピル、（メタ）アクリル酸ブチル、（メタ）アクリル酸ヘキシル、（メタ）アクリル酸−２−エチルヘキシル、（メタ）アクリル酸ドデシル、（メタ）アクリル酸ラウリル、（メタ）アクリル酸シクロヘキシル、（メタ）アクリル酸ベンジル、（メタ）アクリル酸イソボルニルなどの（メタ）アクリル酸アルキル；２−ヒドロキシエチル（メタ）アクリレート、２−または３−ヒドロキシプロピル（メタ）アクリレート、４−ヒドロキシブチル（メタ）アクリレート、５−ヒドロキシペンチル（メタ）アクリレート、６−ヒドロキシヘキシル（メタ）アクリレート、１，２−または１，３−ジヒドロキシプロピルモノ（メタ）アクリレート、エリスリトールモノ（メタ）アクリレートなどの（メタ）アクリル酸のヒドロキシアルキルエステル；ジエチレングリコールモノ（メタ）アクリレート、トリエチレングリコールモノ（メタ）アクリレート、ポリエチレングリコールモノ（メタ）アクリレート、ポリプロピレングリコールモノ（メタ）アクリレートなどのポリエチレングリコールモノ（メタ）アクリレート；エチレングリコールモノメチルエーテル（メタ）アクリレート、エチレングリコールモノエチルエーテル（メタ）アクリレート、ジエチレングリコールモノメチルエーテル（メタ）アクリレート、トリエチレングリコールモノメチルエーテル（メタ）アクリレート、ポリエチレングリコールモノメチルエーテル（メタ）アクリレート、ポリプロピレングリコールモノアルキルエーテル（メタ）アクリレートなどの（ポリ）グリコールモノアルキルエーテル（メタ）アクリレート；パーフルオロオクチル（メタ）アクリレート、ヘキサフルオロブチル（メタ）アクリレートなどの（メタ）アクリル酸のフルオロアルキルエステル；γ−（メタ）アクリロキシプロピルトリメトキシシラン、γ−（メタ）アクリロキシプロピルトリ（トリメチルシロキシ）シランなどの（メタ）アクリロキシアルキル基を有するシラン化合物；およびテトラヒドロフルフリル（メタ）アクリレートなどの複素環を有する（メタ）アクリレートなどを挙げることができる。
【０１７８】
また、多官能性の（メタ）アクリレートとしては、例えばエチレングリコールジ（メタ）アクリレート、プロピレングリコールジ（メタ）アクリレート、ブチレングリコールジ（メタ）アクリレート、ネオペンチルグリコールジ（メタ）アクリレート、へキシレングリコールジ（メタ）アクリレート、２−ヒドロキシプロピルジ（メタ）アクリレート、トリメチロールプロパントリ（メタ）アクリレート、ペンタエリスリトールテトラ（メタ）アクリレートなどのアルカンポリオールのポリ（メタ）アクリレート；ジエチレングリコールジ（メタ）アクリレート、トリエチレングリコールジ（メタ）アクリレート、ポリエチレングリコールジ（メタ）アクリレート、ジプロピレングリコールジ（メタ）アクリレート、ポリプロピレングリコールジ（メタ）アクリレート、ジブチレングリコールジ（メタ）アクリレート、ジペンタエリスリトールヘキサ（メタ）アクリレートなどのポリオキシアルカンポリオールポリ（メタ）アクリレート；
下記式（１）
【０１７９】
【化１】
0005570168.tif 000002
ここで、Ｒは水素原子またはメチル基であり、ｍおよびｎは同一もしくは異なり０〜１０の数であり、そしてＲ1は
【０１８０】
【化２】
0005570168.tif 000003
で表わされる脂肪族または芳香族のジ（メタ）アクリレート；
さらに、下記式（２）
【０１８１】
【化３】
0005570168.tif 000004
ここで、Ｒは水素原子またはメチル基であり、ｎは０〜１０の数であり、そしてＲ1は
【０１８２】
【化４】
0005570168.tif 000005
で表わされる、分子内にヒドロキシル基を有する脂肪族または芳香族ジ（メタ）アクリレート；
および下記式（３）
【０１８３】
【化５】
0005570168.tif 000006
ここで、Ｒは水素原子またはメチル基であり、そしてＲ1は
【０１８４】
【化６】
0005570168.tif 000007
で表わされる分子中にウレタン結合を有する多官能（メタ）アクリレート
などを挙げることができる。
【０１８５】
これらのうち、単官能性（メタ）アクリレートとしては、（メタ）アクリル酸メチル、（メタ）アクリル酸エチルのような（メタ）アクリル酸アルキル；２−ヒドロキシエチル（メタ）アクリレート、１，３−ジヒドロキシプロピルモノ（メタ）アクリレート、エリスリトールモノ（メタ）アクリレートのような水酸基含有（メタ）アクリレート；トリエチレングリコールモノメチルエーテル（メタ）アクリレート、トリエチレングリコールモノ（メタ）アクリレートのように分子内にエチレングリコール鎖を有する（メタ）アクリレートなどが特に好ましく用いられる。
【０１８６】
また、多官能性（メタ）アクリレートとしては、例えばトリエチレングリコールジ（メタ）アクリレート、ポリエチレングリコールジ（メタ）アクリレートのような分子内にエチレングリコール鎖を有するジ（メタ）アクリレート、２−ヒドロキシプロピルジ（メタ）アクリレート、
下記式（１）−ａ
【０１８７】
【化７】
0005570168.tif 000008
（ここで、Ｒ、ｍおよびｎの定義は式（１）に同じである。）
で表わされる化合物、
下記式（２）−ａ
【０１８８】
【化８】
0005570168.tif 000009
（ここで、Ｒの定義は式（２）に同じである。）
で表わされる化合物、
下記式（３）−ａ
【０１８９】
【化９】
0005570168.tif 000010
（ここで、Ｒの定義は式（３）に同じである。）
などが特に好ましく用いられる。これらは単独で、または２種類以上併用することができる。
【０１９０】
また、分子内に酸性基を有する重合性モノマーとしては、例えば、
（メタ）アクリル酸およびその無水物、１，４−ジ（メタ）アクリロキシエチルピロメリット酸、６−（メタ）アクリロキシエチルナフタレン−１，２，６−トリカルボン酸、Ｎ−（メタ）アクリロイル−ｐ−アミノ安息香酸、Ｎ−（メタ）アクリロイル−ｏ−アミノ安息香酸、Ｎ−（メタ）アクリロイル−ｍ−アミノ安息香酸、Ｎ−（メタ）アクリロイル−５−アミノサリチル酸、Ｎ−（メタ）アクリロイル−４−アミノサリチル酸、４−（メタ）アクリロキシエチルトリメリット酸およびその無水物、４−（メタ）アクリロキシブチルトリメリット酸およびその無水物、４−（メタ）アクリロキシヘキシルトリメリット酸およびその無水物、４−（メタ）アクリロキシデシルトリメリット酸およびその無水物、２−（メタ）アクリロイルオキシ安息香酸、３−（メタ）アクリロイルオキシ安息香酸、４−（メタ）アクリロイルオキシ安息香酸、β−（メタ）アクリロイルオキシエチルハイドロジェンサクシネート、β−（メタ）アクリロイルオキシエチルハイドロジェンマレエート、β−（メタ）アクリロイルオキシエチルハイドロジェンフタレート、１１−（メタ）アクリロイルオキシ−１，１−ウンデカンジカルボン酸、ｐ−ビニル安息香酸などのカルボン酸基またはその無水物を含有するモノマー；
（２−（メタ）アクリロキシエチル）ホスホリック酸、（２−（メタ）アクリロキシエチルフェニル）ホスホリック酸、１０−（メタ）アクリロキシデシルホスホリック酸などの燐酸基を含有するモノマー；および
ｐ−スチレンスルホン酸、２−アクリルアミド−２−メチルプロパンスルホン酸などのスルホン酸基を含有するモノマーを挙げることができる。
【０１９１】
これらの酸性モノマーは単独であるいは組み合わせて使用することができる。これら酸性基を含有する重合性モノマーの配合量は、全重合性モノマー（ａ）を１００重量部とした場合、２〜２０重量部が好ましい。
【０１９２】
本接着剤組成物が含有する（メタ）アクリレート重合体（ｂ）としては、例えばポリメチル（メタ）アクリレート、ポリエチル（メタ）アクリレート、メチル（メタ）アクリレート・エチル（メタ）アクリレート共重合体、メチル（メタ）アクリレート・ブチル（メタ）アクリレート共重合体、メチル（メタ）アクリレート・スチレン共重合体などの非架橋性ポリマー、メチル（メタ）アクリレート・エチレングリコールジ（メタ）アクリレート共重合体、メチル（メタ）アクリレート・トリエチレングリコールジ（メタ）アクリレート共重合体、（メタ）アクリル酸メチルとブタジエン系モノマーとの共重合体などの架橋性ポリマーを挙げることができる。また、（ｂ）成分として、これらのアルキルメタクリレート系重合体で金属酸化物や金属塩をコートした無機粒子を使用することも可能である。成分（ｂ）は成分（ａ）と予め混合して用いることもできる。特に好ましくは、ポリメチル（メタ）アクリレートであり、重量平均分子量は好ましくは１万〜１００万であり、より好ましくは５万〜５０万であり、更に好ましくは１０万〜３５万である。又、分子量分布の指標である重量平均分子量／数平均分子量（Ｍｗ／Ｍｎ）は、好ましくは３．２以下であり、より好ましくは、２．５以下であり、さらに好ましくは２．２以下である。又、粒子は球状であることが好ましく、粒子径（ＨＯＲＩＢＡ社製レーザー回折散乱式粒度分布測定装置ＬＡ−９１０にて測定）は、好ましくは１〜５０μｍであり、より好ましくは３〜３０μｍであり、更に好ましくは５〜２０μｍである。は前記数値範囲等の条件外では、単量体と混合した際に急速に粘度を増して可使時間が短くなったり、適用するのに適切な粘度に調製することが困難となったりするおそれがある。なお、前記条件を満たすポリメチルメタクリレート粒子は、重量平均分子量１００万〜２００万程度のパール重合ポリメチルメタクリレート粒子に３０〜８０ｋＧｙ程度のガンマ線照射にて、得られる。
【０１９３】
本接着剤組成物には、必要に応じ、無機、有機の充填剤；有機複合フィラー；充填剤着色剤；ヒドロキノン類などの重合禁止剤を適量配合させることもできる。
無機充填材の例としては、ジルコニウム酸化物、ビスマス酸化物、チタン酸化物、酸化亜鉛、酸化アルミニウム粒子などの金属酸化物粉末、炭酸カルシウム、炭酸ビスマス、リン酸カルシウム、リン酸ジルコニウム、硫酸バリウムなどの金属塩粉末、シリカガラス、アルミニウム含有ガラス、バリウム含有ガラス、ストロンチウム含有ガラス、ジルコニウムシリケートガラスなどのガラスフィラー、銀徐放性を有するフィラー、フッ素徐放性を有するフィラーなどを挙げることができる。これら無機充填材は単独であるいは組み合わせて使用することができる。
【０１９４】
また、無機充填材と樹脂間に強固な結合を得るためには、シラン処理、ポリマーコートなどの表面処理を施した無機充填材を使用することが好ましい。
接着剤組成物の皮膜厚さ低減および修復効果を向上させるには、上記粒子の平均粒子径は、０．０１〜３０μｍの範囲内にあることが好ましく、さらに、０．０５〜２５μｍの範囲内にあることが特に好ましい。
【０１９５】
尚、本歯科用接着剤や重合開始剤組成物の前述のごとき組成や配合は、処方であり、混合することにより、化学反応を生起して、前記とは異なった生成物を生じることもあり得る。例えば、有機ホウ素化合物であるトリアルキルホウ素などとアルコールが反応してアルコキシアルキルホウ素を生じることがあり得る。
【０１９６】
本接着剤組成物は、歯科用または外科用に用いられる。本接着剤組成物を歯科に使用するにあたっては、歯牙に前処理を施すのが好ましい。前処理としては、例えば酸性溶液による接着面のエッチング処理、プライマーによる接着面の改質処理あるいはエッチング能を有するプライマーによる接着面のエッチングおよび改質処理などを挙げることができる。エッチング処理に用いられる酸性溶液としては、例えば５〜６０重量％のリン酸水溶液、および１０重量％のクエン酸と３重量％の塩化第二鉄とを含む水溶液を挙げることができる。接着面の改質処理に用いられるプライマーとしては、例えば２０〜５０重量％の２−ヒドロキシエチルアクリレート、２−ヒドロキシメチルアクリレート、１，３−ジヒドロキシプロピルモノ（メタ）アクリレートを含有する水溶液を挙げることができる。また、接着面のエッチングと改質処理に用いられるエッチング能を有するプライマーとしては、例えば有機酸（酸性基を有するモノマーを含む概念）と、脱灰した歯質を改質し、歯質への接着剤組成物の拡散を促進する成分とを含有する水溶液などが好ましく用いられる。歯質への接着剤組成物の拡散を促進する成分としては、例えばアルキレングリコール、ポリアルキレングリコール、２−ヒドロキシエチル（メタ）アクリレート、１，３−ジヒドロキシプロピルモノ（メタ）アクリレートなどの水酸基含有モノマーあるいはポリエチレングリコール（メタ）アクリレートなどを挙げることができる。
【０１９７】
有機ホウ素化合物を含む組成物（Ａ）は、非プロトン性溶媒（Ｂ）やアルコール（Ｃ）により安定性が高められてはいるが、やはり反応活性は高いものであるので、接着剤等が用いられたバイパス部が配置されている空間部には当該組成物を収納すること避けた方が好ましい。あるいは、外気に触れる可能性が高い吐出側空間部よりも、両側から空間部に挟まれた内部側の中間空間部に収容することが好ましい。又、（メタ）アクリレート重合体（ｂ）を含む組成物は、重合性モノマー（ａ）等に対して不溶というわけではないが、粘度が著しく上昇してしまい、粘度が上昇した内容物がバイパス部を迂回することが困難になる場合がある。そのために、プレフィルドシリンジ（１）の場合では吐出側空間部に、プレフィルドシリンジ（３）の場合では空間部（ａ）に、それぞれ収納することが好ましい。
【０１９８】
なお、プレフィルドシリンジ（１）〜（３）において、輸送中にプランジャー部が押圧されてしまうこと（プレフィルドシリンジ（１）、（３））や易破割性アンプルの破割（プレフィルドシリンジ（２））などにより、内容物同士が混合されたり、吐出部からの漏洩が発生したりする事態がある。このような事態を防ぐために、吐出側をシーリングしたり、プランジャー部を留め具にて固定したりするなどの措置を施しておくことが好ましい。
【産業上の利用可能性】
【０１９９】
本発明によれば、医療用途などの各種用途において適し、（１）保存時には、安全且つ確実に各内容物を個別に収納・保存でき、（２）使用時には、シリンジ内で各内容物を十分に混合でき、さらに、混合物を良好な信頼性とともに簡便かつ円滑に吐出できるプレフィルドシリンジまたは複合型プレフィルドシリンジを提供することができる。
【符号の説明】
【０２００】
１０：プレフィルドシリンジ（１）
１１：筒体
１１ａ：筒体の押圧側
１１ｂ：筒体の吐出側
１２ａ：押圧側ガスケット部
１２ｂ、１２ｂ´：中間ガスケット部
１２ｃ：吐出側ガスケット部
１３ａ：押圧側空間部
１３ｂ、１３ｂ´：中間空間部
１３´：吐出側空間部
１４ａ：バイパス部（ａ）
１４ａ´：バイパス部（ａ´）
１４ｂ：バイパス部（ｂ）
１５：プランジャー部
１６：吐出部
１６ａ：吐出口
１６ｂ：最吐出側壁面
１７：留め金
１８：吐出された内容物
３１：筒体外周面
３１´：筒体内面の内周
３３：空間部
３４´：溝の幅
３４´´：溝の深さ
３４、３４ａ、３４ｂ：溝形状のバイパス部
４０：プレフィルドシリンジ（２）
４１：筒体
４１ａ：筒体の押圧側
４１ｂ：筒体の吐出側
４１´：折り曲げ操作が実施された筒部
４２ａ：ガスケット部
４２ｂ：フィルター
４２ｃ：漏洩防止キャップ
４３：筒体内部
４３ａ、４３ｂ：内容物を含む易破壊性アンプル
４３ａ´、４３ｂ´：破割された易破壊性アンプル
４３ａｂ：破割された易破壊性アンプルから漏出した内容物
４５：プランジャー部
４６：吐出部
４７：留め金
５２ｂ、５２ｂ´：フィルター
５８：フィルターと吐出部とで画定される空間
５８ａ、５８ａ´：内容物（粉末）
６００：プレフィルドシリンジ（３）
６１０：内筒部（Ｂ）
６１１：筒体（ｂ）
６１１ａ：筒体（ｂ）の押圧側
６１１ｂ：筒体（ｂ）の吐出側
６１２ａ：押圧側ガスケット部（ｂ）
６１２ｃ：吐出側ガスケット部（ｂ）
６１３：押圧側空間部（ｂ）
６１３´：吐出側空間部（ｂ）
６１４ａ：バイパス部（ｂ1）
６１４ｂ：バイパス部（ｂ2）
６１５：プランジャー部
６１６：吐出部（ｂ）
６１６ａ：吐出口（ｂ）
６１６ｂ：最吐出側壁面（ｂ）
６１７、６２７：留め金
６２０：外筒部（Ａ）
６２１：筒体（ａ）
６２１ａ：筒体（ａ）の押圧側
６２１ｂ：筒体（ａ）の吐出側
６２２ａ：押圧側ガスケット部（ａ）
６２２ｂ：漏洩防止キャップ
６２３：空間部（ａ）
６２３´：内容物（ａ）
６２６：吐出部（ａ）
６２６ａ：吐出口（ａ）
６２６ｂ：最吐出側壁面（ａ）
７００：プレフィルドシリンジ（３）
７１２ａ：押圧側ガスケット部（ｂ）
７１２ｂ：中間ガスケット部（ｂ）
７１２ｃ：吐出側ガスケット部（ｂ）
７１３ａ：押圧側空間部（ｂ）
７１３ｂ：中間空間部（ｂ）
７１３´：吐出側空間部（ｂ）
８００：プレフィルドシリンジ（３）
８２２ｃ：吐出側ガスケット部（ａ）
８２３ａ：押圧側空間部（ａ）
８２３ｂ：吐出側空間部（ａ）
８１４ｂ：バイパス部（ａ）
Ｓ1、Ｓ1´、Ｓ1´´：ガスケットの押圧側の面
Ｓ2、Ｓ2´、Ｓ2´´：バイパス部の押圧側端部
Ｌ1、Ｌ1´：バイパス部の長軸方向における長さ
Ｌ2、Ｌ2´：バイパス部が形成されている空間部の長軸方向における長さ
Ｌ3、Ｌ3´、Ｌ4：ガスケット部の長軸方向における厚さ
【図１】
0005570168.tif 000011
【図２】
0005570168.tif 000012
【図３】
0005570168.tif 000013
【図４】
0005570168.tif 000014
【図５】
0005570168.tif 000015
【図６】
0005570168.tif 000016
【図７】
0005570168.tif 000017
【図８】
0005570168.tif 000018